(57)【要約】  管腔（４）内の閉塞部（６）を通る穴を開けるための穿孔工具（３）を管腔（４）内に固定するための固定装置（１）は、バルーンカテーテル（８）の遠位端（７）に隣接してバルーンカテーテル（８）のバルーン（１２）に固定されるように適合された拡張可能な要素（１８）を備える。拡張可能な要素（１８）は、管腔に係合しかつ固定装置（１）を管腔（４）に固定するために、バルーンカテーテル（８）のバルーン（１２）と共に拡張可能であり、かつ収縮可能である。案内要素（３３）は、拡張可能な要素（１８）から同軸に延在し、案内要素（３３）を貫通して延在する案内穴（３４）は、穿孔工具（３）の対応する外側のねじ山（３６）に係合するための、内側の一次ねじ山（３５）を備える。搬送ワイヤ（４５）は、バルーンカテーテル（８）の中心管腔（１５）を通って穿孔工具（３）から延在しており、ねじ山（３５、３６）が係合したとき、ガイドワイヤ（４５）により穿孔工具（３）を回転させることによって、穿孔工具が閉塞部（６）を貫通して押し進められ、貫通する開口部が形成される。
2014516596.tif 000002
【特許請求の範囲】
【請求項１】
穿孔工具を管腔または脈管内の部位に固定するための固定装置であって、前記管腔または脈管内で前記固定装置を固定するために拡張するように適合された拡張可能な要素であり、前記固定装置を、前記管腔または脈管内の前記部位に送達する送達装置に固定するように適合された拡張可能な要素と、穿孔工具を案内するために、前記穿孔工具および前記穿孔工具の搬送要素のうちの一方を収容するように貫通して延在する案内穴を画定する案内要素と、前記穿孔工具を前記固定装置に対して前記案内要素の外方向に押し進ませることができるように前記穿孔工具および前記穿孔工具の前記搬送要素のうちの一方に係合させるための、前記案内要素および前記拡張可能な要素のうちの一方に関連付けられた係合手段と、を備える、固定装置。
【請求項２】
前記拡張可能な要素が主中心軸を規定し、前記案内要素の前記案内穴が二次中心軸を規定する、請求項１に記載の固定装置。
【請求項３】
前記案内要素は、前記案内要素の前記案内穴により規定される前記二次中心軸が、前記拡張可能な要素により規定される前記主中心軸に対して実質的に平行に延在するように、前記拡張可能な要素に対して構成される、請求項２に記載の固定装置。
【請求項４】
前記案内要素は、前記案内要素の前記案内穴により規定される前記二次中心軸が、前記拡張可能な要素により規定される前記主中心軸と実質的に一致するように、前記拡張可能な要素に対して構成される、請求項２または３に記載の固定装置。
【請求項５】
前記案内要素は、前記案内要素の前記案内穴により規定される前記二次中心軸が、前記拡張可能な要素により規定される前記主中心軸からオフセットされるように、前記拡張可能な要素に対して構成される、請求項２から４のいずれか一項に記載の固定装置。
【請求項６】
前記案内要素は、前記案内要素の前記案内穴により規定される前記二次中心軸が、前記拡張可能な要素により規定される前記主中心軸に対してゼロを超える角度で延在するように、前記拡張可能な要素に対して構成される、請求項２に記載の固定装置。
【請求項７】
前記案内要素は、前記案内要素の前記案内穴により規定される前記二次中心軸が、前記拡張可能な要素により規定される前記主中心軸に対して１°から９０°の間の角度で延在するように、前記拡張可能な要素に対して構成される、請求項６に記載の固定装置。
【請求項８】
前記案内要素は、前記案内要素の前記案内穴により規定される前記二次中心軸が、前記拡張可能な要素により規定される前記主中心軸に対して２０°から３５°の間の角度で延在するように、前記拡張可能な要素に対して構成される、請求項６または７に記載の固定装置。
【請求項９】
前記案内要素は、前記案内要素の前記案内穴により規定される前記二次中心軸が、前記拡張可能な要素により規定される前記主中心軸に対して約３０°の角度で延在するように、前記拡張可能な要素に対して構成される、請求項６から８のいずれか一項に記載の固定装置。
【請求項１０】
前記案内要素は、前記案内要素の前記案内穴により規定される前記二次中心軸が、前記拡張可能な要素により規定される前記主中心軸に対して３５°から５５°の間の角度で延在するように、前記拡張可能な要素に対して構成される、請求項６または７に記載の固定装置。
【請求項１１】
前記案内要素が、前記案内要素の前記案内穴により規定される前記二次中心軸が、前記拡張可能な要素により規定される前記主中心軸に対して約４５°の角度で延在するように、前記拡張可能な要素に対して構成される、請求項１０に記載の固定装置。
【請求項１２】
前記案内要素が、前記案内要素の前記案内穴により規定される前記二次中心軸が、前記拡張可能な要素により規定される前記主中心軸に対して５５°から７０°の間の角度で延在するように、前記拡張可能な要素に対して構成される、請求項６または７に記載の固定装置。
【請求項１３】
前記案内要素は、前記案内要素の前記案内穴により規定される前記二次中心軸が、前記拡張可能な要素により規定される前記主中心軸に対して約６０°の角度で延在するように、前記拡張可能な要素に対して構成される、請求項１２に記載の固定装置。
【請求項１４】
前記案内要素は、前記案内要素の前記案内穴により規定される前記二次中心軸が、前記拡張可能な要素により規定される前記主中心軸に対して７０°から９０°の間の角度で延在するように、前記拡張可能な要素に対して構成される、請求項６または７に記載の固定装置。
【請求項１５】
前記案内要素は、前記案内要素の前記案内穴により規定される前記二次中心軸が、前記拡張可能な要素により規定される前記主中心軸に対して約９０°の角度で延在するように、前記拡張可能な要素に対して構成される、請求項１４に記載の固定装置。
【請求項１６】
前記案内要素が、前記拡張可能な要素から延在する、請求項１から１５のいずれか一項に記載の固定装置。
【請求項１７】
前記案内要素が、前記拡張可能な要素内に位置する、請求項１から１５のいずれか一項に記載の固定装置。
【請求項１８】
前記係合手段が、前記案内穴および前記拡張可能な要素のうちの一方に位置する内側の一次ねじ山を備える、請求項１から１７のいずれか一項に記載の固定装置。
【請求項１９】
前記一次ねじ山が、前記穿孔工具および前記穿孔工具の前記搬送要素のうちの一方の対応する外側のねじ山に係合するように適合される、請求項１８に記載の固定装置。
【請求項２０】
前記係合手段が、前記案内要素の前記案内穴の中に位置する、請求項１から１９のいずれか一項に記載の固定装置。
【請求項２１】
前記拡張可能な要素が、可逆的に拡張可能である、請求項１から２０のいずれか一項に記載の固定装置。
【請求項２２】
前記拡張可能な要素が、前記拡張可能な要素に対して作用する半径方向外側の圧力に応じて拡張可能である、請求項１から２１のいずれか一項に記載の固定装置。
【請求項２３】
前記拡張可能な要素が、弾性材料からなる、請求項１から２２のいずれか一項に記載の固定装置。
【請求項２４】
前記拡張可能な要素が、前記送達装置の拡張可能な部材に解放可能に固定されるように適合される、請求項１から２３のいずれか一項に記載の固定装置。
【請求項２５】
前記拡張可能な要素が、前記送達装置の拡張可能な部材上に取り付けられるように適合される、請求項１から２４のいずれか一項に記載の固定装置。
【請求項２６】
前記拡張可能な要素が、前記送達装置の拡張可能な部材に係合するように適合される、請求項１から２５のいずれか一項に記載の固定装置。
【請求項２７】
前記拡張可能な要素が、前記送達装置の拡張可能な部材と解放可能に係合するように適合される、請求項１から２６のいずれか一項に記載の固定装置。
【請求項２８】
前記拡張可能な要素が、前記送達装置の拡張可能な部材の外側表面に係合するように適合される、請求項１から２７のいずれか一項に記載の固定装置。
【請求項２９】
固定手段が、前記拡張可能な要素を、前記送達装置の拡張可能な部材に固定するように提供される、請求項１から２８のいずれか一項に記載の固定装置。
【請求項３０】
前記固定手段が、前記拡張可能な要素を、前記送達装置の前記拡張可能な部材に解放可能に固定するように適合される、請求項２９に記載の固定装置。
【請求項３１】
前記固定手段が、前記拡張可能な要素の内部に形成された摩擦表面を備える、請求項２９または３０に記載の固定装置。
【請求項３２】
前記固定手段が、前記拡張可能な要素の内側表面から内側方向に延在した、少なくとも１つの円周方向に延在する隆起部を備える、請求項２９から３１のいずれか一項に記載の固定装置。
【請求項３３】
前記固定手段が、二次ねじ山を備える、請求項２９から３１のいずれか一項に記載の固定装置。
【請求項３４】
前記二次ねじ山が、前記一次ねじ山とはねじ方向が左右逆である、請求項３３に記載の固定装置。
【請求項３５】
停止手段が、前記拡張可能な要素と前記送達装置の間の相対的な回転を阻止するように提供される、請求項１から３４のいずれか一項に記載の固定装置。
【請求項３６】
前記停止手段が、前記拡張可能な要素の前記内側表面から内側方向に延在した、少なくとも１つの長手方向に延在する隆起部を備える、請求項３５に記載の固定装置。
【請求項３７】
前記拡張可能な要素が、前記送達装置の拡張可能な部材と共に拡張可能である、請求項１から３６のいずれか一項に記載の固定装置。
【請求項３８】
前記拡張可能な要素が、前記送達装置の拡張可能な部材と共に可逆的に拡張可能である、請求項１から３７のいずれか一項に記載の固定装置。
【請求項３９】
前記拡張可能な要素が、バルーンカテーテル上に位置する膨張可能なバルーンと係合するように適合される、請求項１から３８のいずれか一項に記載の固定装置。
【請求項４０】
前記拡張可能な要素が、バルーンカテーテルの遠位端に隣接して配置された膨張可能なバルーンに係合するように適合される、請求項１から３９のいずれか一項に記載の固定装置。
【請求項４１】
前記拡張可能な要素がシート材料からなる、請求項１から４０のいずれか一項に記載の固定装置。
【請求項４２】
前記拡張可能な要素が穴の開いた材料からなる、請求項１から４１のいずれか一項に記載の固定装置。
【請求項４３】
前記拡張可能な要素がプラスチック材料からなる、請求項１から４２のいずれか一項に記載の固定装置。
【請求項４４】
前記拡張可能な要素が金属材料からなる、請求項１から４３のいずれか一項に記載の固定装置。
【請求項４５】
前記拡張可能な要素が形状記憶金属からなる、請求項１から４４のいずれか一項に記載の固定装置。
【請求項４６】
前記拡張可能な要素がニチノール金属からなる、請求項１から４５のいずれか一項に記載の固定装置。
【請求項４７】
前記案内要素が半剛性材料からなる、請求項１から４６のいずれか一項に記載の固定装置。
【請求項４８】
前記案内要素が剛性材料からなる、請求項１から４７のいずれか一項に記載の固定装置。
【請求項４９】
前記案内要素がプラスチック材料からなる、請求項１から４８のいずれか一項に記載の固定装置。
【請求項５０】
前記案内要素が金属材料からなる、請求項１から４９のいずれか一項に記載の固定装置。
【請求項５１】
前記案内要素の前記材料が、前記拡張可能な要素の材料と同様のものであるが、前記案内要素においては拡張不能であるように構成された材料からなる、請求項１から５０のいずれか一項に記載の固定装置。
【請求項５２】
前記固定装置が、カテーテルにより前記管腔または脈管内の部位に送達するように構成可能である、請求項１から５１のいずれか一項に記載の固定装置。
【請求項５３】
請求項１から５２のいずれか一項に記載の固定装置と、前記固定装置の案内要素の案内穴を通って延在するように前記固定装置と協動可能な穿孔工具と、を備える組合せ体。
【請求項５４】
前記穿孔工具が、穿孔要素および搬送要素を備える、請求項５３に記載の組合せ体。
【請求項５５】
前記搬送要素が、細長い搬送ワイヤを備える、請求項５４に記載の組合せ体。
【請求項５６】
前記穿孔要素が、前記搬送ワイヤの遠位端に取り付けられ、前記遠位端から延在する、請求項５５に記載の組合せ体。
【請求項５７】
前記穿孔要素が、前記搬送要素と同軸に延在する、請求項５４から５６のいずれか一項に記載の組合せ体。
【請求項５８】
前記穿孔要素および前記搬送要素のうちの一方が、外側のねじ山を備え、前記外側のねじ山が、前記穿孔要素を案内要素に対して押し進めるために、前記固定装置の一次内側のねじ山と協動可能であるように適合される、請求項５４から５７のいずれか一項に記載の組合せ体。
【請求項５９】
前記穿孔要素が、遠位の穿孔先端部を備える、請求項５８に記載の組合せ体。
【請求項６０】
前記外側のねじ山が、前記穿孔要素上に、前記穿孔要素の前記穿孔先端部と前記搬送要素の中間に設けられる、請求項５９に記載の組合せ体。
【請求項６１】
前記固定装置を前記管腔または脈管内の前記部位に送達するための送達装置をさらに備える、請求項５３から６０のいずれか一項に記載の組合せ体。
【請求項６２】
前記送達装置が、取り付けられた拡張可能な部材を備え、前記固定装置の前記拡張可能な要素が、前記送達装置の前記拡張可能な部材と解放可能に係合可能である、請求項６１に記載の組合せ体。
【請求項６３】
前記送達装置が、バルーンカテーテルを備え、前記固定装置の前記拡張可能な要素が、前記バルーンカテーテルの前記バルーンと解放可能に係合可能である、請求項６１または６２に記載の組合せ体。
【請求項６４】
前記バルーンカテーテルの前記バルーンが、前記バルーンカテーテルの前記遠位端に隣接して配置される、請求項６３に記載の組合せ体。
【請求項６５】
請求項１から５２のいずれかに記載の固定装置とバルーンカテーテルとを備える組合せ体であって、前記固定装置の拡張可能な要素が、前記バルーンカテーテルのバルーンと解放可能に係合可能である、組合せ体。
【請求項６６】
前記バルーンカテーテルが、細長いカテーテルと、前記カテーテルに取り付けられた前記バルーンと、を備える、請求項６５に記載の組合せ体。
【請求項６７】
前記バルーンカテーテルの前記バルーンが、前記カテーテル上に、前記カテーテルの遠位端に隣接して配置される、請求項６６に記載の組合せ体。
【請求項６８】
前記固定装置の拡張可能な要素が、前記バルーンカテーテルの前記バルーン上に、前記バルーンの遠位端に隣接して取り付けられる、請求項６５から６７のいずれか一項に記載の組合せ体。
【請求項６９】
バルーンカテーテルのカテーテルの遠位端に固定するためのアダプタであって、貫通して延在する案内穴を画定する案内要素であり、前記案内穴が、穿孔工具を案内するために、前記穿孔工具および前記穿孔工具の搬送要素のうちの一方を収容するように適合される、案内要素と、前記アダプタを前記カテーテルに結合するように適合された結合手段と、前記穿孔工具を前記アダプタに対して前記案内要素の外方向に押し進めることができるように、前記穿孔工具および前記穿孔工具の前記搬送要素のうちの一方に係合するための、前記案内要素および前記結合手段のうちの一方における係合手段と、を備えるアダプタ。
【請求項７０】
前記係合手段が、前記穿孔工具および前記穿孔工具の前記搬送要素のうちの一方の対応する外側のねじ山と協動するための内側の一次ねじ山を備える、請求項６９に記載のアダプタ。
【請求項７１】
前記係合手段が、前記案内要素の前記案内穴の中に位置する、請求項６９または７０に記載のアダプタ。
【請求項７２】
前記結合手段が、前記アダプタを、前記バルーンに隣接して前記バルーンカテーテルの前記カテーテルに結合するように適合される、請求項６９から７１のいずれかに記載のアダプタ。
【請求項７３】
前記結合手段が、前記アダプタを、前記バルーンの遠位端に隣接して前記カテーテルに結合するように適合される、請求項６９から７２のいずれか一項に記載のアダプタ。
【請求項７４】
前記結合手段が、前記カテーテルの前記遠位端に結合するように適合される、請求項６９から７３のいずれか一項に記載のアダプタ。
【請求項７５】
前記結合手段が、前記アダプタを、前記バルーンの近位端に隣接して前記カテーテルに結合するように適合される、請求項６９から７２のいずれか一項に記載のアダプタ。
【請求項７６】
前記結合手段が、前記アダプタを、前記バルーンカテーテルに解放可能に結合するように適合される、請求項６９から７５のいずれか一項に記載のアダプタ。
【請求項７７】
連通穴が、前記結合手段を貫通して延在し、前記穿孔工具および前記搬送要素のうちの一方を通して前記案内穴に収容するように前記案内穴と連通しており、前記穿孔工具および前記搬送要素のうちの一方を、前記カテーテルを貫通して延在する穴から前記案内要素の前記案内穴へと収容するために、前記バルーンカテーテルの前記カテーテルを通して長手方向に延在する細長い前記穴と連通するように適合される、請求項６９から７６のいずれか一項に記載のアダプタ。
【請求項７８】
前記結合手段が、前記アダプタを前記バルーンカテーテルに解放可能に結合するための二次ねじ山を備える、請求項６９から７７のいずれか一項に記載のアダプタ。
【請求項７９】
前記二次ねじ山が、前記結合手段の前記連通穴の中に位置する内側の二次ねじ山を備える、請求項７８に記載のアダプタ。
【請求項８０】
前記二次ねじ山が、前記結合手段が前記カテーテルの前記遠位端にねじ込まれると、前記カテーテルの前記遠位端に隣接して前記カテーテル上に対応するねじ山を形成するように適合される、請求項７８または７９に記載のアダプタ。
【請求項８１】
前記二次ねじ山が、前記一次ねじ山のねじ方向に対してねじ方向が左右逆である、請求項７８から８０のいずれか一項に記載のアダプタ。
【請求項８２】
前記結合手段が、使用に際して、前記バルーンカテーテルにより規定される長手方向に延在する中心軸に対して実質的に平行に延在するように適合された主中心軸を規定し、前記案内要素の前記案内穴が、二次中心軸を規定する、請求項６９から８１のいずれか一項に記載のアダプタ。
【請求項８３】
前記案内要素は、前記案内要素の前記案内穴により規定される前記二次中心軸が、前記結合手段により規定される前記主中心軸に対して実質的に平行に延在するように、前記結合手段に対して構成される、請求項８２に記載のアダプタ。
【請求項８４】
前記案内要素は、前記案内要素の前記案内穴により規定される前記二次中心軸が、前記結合手段により規定される前記主中心軸と実質的に一致するように、前記結合手段に対して構成される、請求項８２または８３に記載のアダプタ。
【請求項８５】
前記案内要素は、前記案内要素の前記案内穴により規定される前記二次中心軸が、前記結合手段により規定される前記主中心軸からオフセットされるように、前記結合手段に対して構成される、請求項８２から８４のいずれか一項に記載のアダプタ。
【請求項８６】
前記案内要素は、前記案内要素の前記案内穴により規定される前記二次中心軸が、前記結合手段により規定される前記主中心軸に対してゼロを超える角度で延在するように、前記結合手段に対して構成される、請求項８２に記載のアダプタ。
【請求項８７】
前記案内要素は、前記案内要素の前記案内穴により規定される前記二次中心軸が、前記結合手段により規定される前記主中心軸に対して１°から９０°の間の角度で延在するように、前記結合手段に対して構成される、請求項８６に記載のアダプタ。
【請求項８８】
前記案内要素は、前記案内要素の前記案内穴により規定される前記二次中心軸が、前記結合手段により規定される前記主中心軸に対して２０°から３５°の間の角度で延在するように、前記結合手段に対して構成される、請求項８６または８７に記載のアダプタ。
【請求項８９】
前記案内要素は、前記案内要素の前記案内穴により規定される前記二次中心軸が、前記結合手段により規定される前記主中心軸に対して３５°から５５°の間の角度で延在するように、前記結合手段に対して構成される、請求項８６または８７に記載のアダプタ。
【請求項９０】
前記案内要素は、前記案内要素の前記案内穴により規定される前記二次中心軸が、前記結合手段により規定される前記主中心軸に対して５５°から７０°の間の角度で延在するように、前記結合手段に対して構成される、請求項８６または８７に記載のアダプタ。
【請求項９１】
前記案内要素は、前記案内要素の前記案内穴により規定される前記二次中心軸が、前記結合手段により規定される前記主中心軸に対して約９０°の角度で延在するように、前記結合手段に対して構成される、請求項８６または８７に記載のアダプタ。
【請求項９２】
前記案内要素が前記結合手段から延在する、請求項６９から９１のいずれか一項に記載のアダプタ。
【請求項９３】
前記アダプタが、剛性材料および半剛性材料のうちの一方からなる、請求項６９から９２のいずれか一項に記載のアダプタ。
【請求項９４】
前記アダプタがプラスチック材料からなる、請求項６９から９３のいずれか一項に記載のアダプタ。
【請求項９５】
前記アダプタが金属材料からなる、請求項６９から９４のいずれか一項に記載のアダプタ。
【請求項９６】
請求項６９から９５のいずれか一項に記載のアダプタと、前記アダプタの案内要素の案内穴を通って延在するように前記アダプタと協動可能な穿孔工具と、を備える組合せ体。
【請求項９７】
前記穿孔工具が、穿孔要素および搬送要素を備える、請求項９６に記載の組合せ体。
【請求項９８】
前記搬送要素が、細長い搬送ワイヤを含む、請求項９７に記載の組合せ体。
【請求項９９】
前記穿孔要素が、前記搬送ワイヤの遠位端に取り付けられ、前記遠位端から同軸に延在する、請求項９８に記載の組合せ体。
【請求項１００】
前記穿孔要素および前記搬送要素のうちの一方が外側のねじ山を備え、前記外側のねじ山が、前記穿孔要素を前記案内要素に対して押し進めるために、前記案内要素の前記案内穴の前記一次内側のねじ山と協動するように適合される、請求項９７から９９のいずれか一項に記載の組合せ体。
【請求項１０１】
前記穿孔要素が、遠位の穿孔先端部を備える、請求項１００に記載の組合せ体。
【請求項１０２】
前記外側のねじ山が、前記穿孔要素上に、前記穿孔先端部と前記搬送要素の中間に設けられる、請求項１０１に記載の組合せ体。
【請求項１０３】
前記組合せ体が、前記アダプタを前記管腔または脈管内の前記部位に送達するためのバルーンカテーテルをさらに備える、請求項９６から１０２のいずれか一項に記載の組合せ体。
【請求項１０４】
前記アダプタが、前記結合手段により、前記バルーンカテーテルの前記カテーテルに、前記カテーテルの遠位端に隣接して結合される、請求項１０３に記載の組合せ体。
【請求項１０５】
前記バルーンカテーテルの前記バルーンが、前記バルーンカテーテルの前記遠位端に隣接して配置される、請求項１０３または１０４に記載の組合せ体。
【請求項１０６】
請求項６９から９５のいずれか一項に記載のアダプタと、細長いカテーテルおよび前記カテーテルに取り付けられたバルーンを備えるバルーンカテーテルと、を備える組合せ体であって、前記アダプタが、結合手段により前記カテーテルに、前記カテーテルの遠位端に隣接して結合される、組合せ体。
【請求項１０７】
管腔または脈管内の部位に穿孔工具を固定するための固定装置であって、前記管腔または脈管内で前記固定装置を固定するために拡張するように適合された拡張可能な要素であり、送達カテーテルの長手方向に延在する送達穴を通して前記部位へと送達されるように適合され、前記部位に隣接して前記管腔または脈管内に前記固定装置を固定するために、前記部位に隣接する前記送達カテーテルの前記送達穴の外に押し進められると外方向に拡張するように適合された自己拡張性の要素を備える、拡張可能な要素と、穿孔工具を案内するために、前記穿孔工具および前記穿孔工具の搬送要素のうちの一方を収容するように貫通して延在する案内穴を画定する案内要素と、前記穿孔工具を前記固定装置に対して前記案内要素の外方向に押し進めることができるように、前記穿孔工具および前記穿孔工具の前記搬送要素のうちの一方に係合するための、前記案内要素および前記拡張可能な要素のうちの一方に関連付けられた係合手段と、を備える固定装置。
【請求項１０８】
貫通する穴を有する搬送管が、前記穿孔工具および前記穿孔工具の前記搬送要素のうちの一方を前記案内要素の前記案内穴に貫通して収容するように、前記拡張可能な要素から延在する、請求項１０７に記載の固定装置。
【請求項１０９】
前記拡張可能な要素が、前記搬送管と前記案内要素との間に配置される、請求項１０８に記載の固定装置。
【請求項１１０】
前記拡張可能な要素が、前記穿孔工具および前記穿孔工具の前記搬送要素のうちの一方を、前記搬送管から前記案内要素の前記案内穴へと収容する、請求項１０８または１０９に記載の固定装置。
【請求項１１１】
前記拡張可能な要素が主中心軸を規定し、前記案内要素の前記案内穴が、二次中心軸を規定する、請求項１０７から１１０のいずれか一項に記載の固定装置。
【請求項１１２】
前記案内要素は、前記案内要素の前記案内穴により規定される前記二次中心軸が、前記拡張可能な要素により規定される前記主中心軸に対して実質的に平行に延在するように、前記拡張可能な要素に対して構成される、請求項１１１に記載の固定装置。
【請求項１１３】
前記案内要素は、前記案内要素の前記案内穴により規定される前記二次中心軸が、前記拡張可能な要素により規定される前記主中心軸と実質的に一致するように、前記拡張可能な要素に対して構成される、請求項１１１または１１２に記載の固定装置。
【請求項１１４】
前記案内要素は、前記案内要素の前記案内穴により規定される前記二次中心軸が、前記拡張可能な要素により規定される前記主中心軸からオフセットされるように、前記拡張可能な要素に対して構成される、請求項１１１から１１３のいずれか一項に記載の固定装置。
【請求項１１５】
前記案内要素は、前記案内要素の前記案内穴により規定される前記二次中心軸が、前記拡張可能な要素により規定される前記主中心軸に対してゼロを超える角度で延在するように、前記拡張可能な要素に対して構成される、請求項１１１に記載の固定装置。
【請求項１１６】
前記案内要素は、前記案内要素の前記案内穴により規定される前記二次中心軸が、前記拡張可能な要素により規定される前記主中心軸に対して１°から９０°の間の角度で延在するように、前記拡張可能な要素に対して構成される、請求項１１５に記載の固定装置。
【請求項１１７】
前記案内要素は、前記案内要素の前記案内穴により規定される前記二次中心軸が、前記拡張可能な要素により規定される前記主中心軸に対して２０°から３５°の間の角度で延在するように、前記拡張可能な要素に対して構成される、請求項１１５または１１６に記載の固定装置。
【請求項１１８】
前記案内要素は、前記案内要素の前記案内穴により規定される前記二次中心軸が、前記拡張可能な要素により規定される前記主中心軸に対して３５°から５５°の間の角度で延在するように、前記拡張可能な要素に対して構成される、請求項１１５または１１６に記載の固定装置。
【請求項１１９】
前記案内要素は、前記案内要素の前記案内穴により規定される前記二次中心軸が、前記拡張可能な要素により規定される前記主中心軸に対して５５°から７０°の間の角度で延在するように、前記拡張可能な要素に対して構成される、請求項１１５または１１６に記載の固定装置。
【請求項１２０】
前記案内要素は、前記案内要素の前記案内穴により規定される前記二次中心軸が、前記拡張可能な要素により規定される前記主中心軸に対して約９０°の角度で延在するように、前記拡張可能な要素に対して構成される、請求項１１５または１１６に記載の固定装置。
【請求項１２１】
前記案内要素が、前記拡張可能な要素から延在する、請求項１０７から１２０のいずれか一項に記載の固定装置。
【請求項１２２】
前記案内要素が、前記拡張可能な要素内に位置する、請求項１０７から１２１のいずれか一項に記載の固定装置。
【請求項１２３】
前記係合手段が、前記案内穴の中に位置する内側の一次ねじ山を備える、請求項１０７から１２２のいずれか一項に記載の固定装置。
【請求項１２４】
前記案内穴の前記一次ねじ山が、前記穿孔工具および前記穿孔工具の前記搬送要素のうちの一方の対応する外側のねじ山に係合するように適合される、請求項１２３に記載の固定装置。
【請求項１２５】
前記係合手段が、前記案内要素の前記案内穴の中に位置する、請求項１０７から１２４のいずれか一項に記載の固定装置。
【請求項１２６】
前記拡張可能な要素が、可逆的に拡張可能である、請求項１０７から１２５のいずれか一項に記載の固定装置。
【請求項１２７】
前記拡張可能な要素が穴の開いた材料からなる、請求項１０７から１２６のいずれか一項に記載の固定装置。
【請求項１２８】
前記拡張可能な要素がプラスチック材料からなる、請求項１０７から１２７のいずれか一項に記載の固定装置。
【請求項１２９】
前記拡張可能な要素が金属材料からなる、請求項１０７から１２８のいずれか一項に記載の固定装置。
【請求項１３０】
前記拡張可能な要素が形状記憶金属からなる、請求項１０７から１２９のいずれか一項に記載の固定装置。
【請求項１３１】
前記拡張可能な要素がニチノール金属からなる、請求項１０７から１３０のいずれか一項に記載の固定装置。
【請求項１３２】
前記案内要素が半剛性材料からなる、請求項１０７から１３１のいずれか一項に記載の固定装置。
【請求項１３３】
前記案内要素が剛性材料からなる、請求項１０７から１３２のいずれか一項に記載の固定装置。
【請求項１３４】
前記案内要素がプラスチック材料からなる、請求項１０７から１３３のいずれか一項に記載の固定装置。
【請求項１３５】
前記案内要素が金属材料からなる、請求項１０７から１３４のいずれか一項に記載の固定装置。
【請求項１３６】
前記固定装置が、送達カテーテルにより前記管腔または脈管内の部位に送達されるように構成可能である、請求項１０７から１３５のいずれか一項に記載の固定装置。
【請求項１３７】
請求項１０７から１３６のいずれか一項に記載の固定装置と、前記固定装置の案内要素の案内穴を通って延在するように前記固定装置と協動可能な穿孔工具と、を備える組合せ体。
【請求項１３８】
前記穿孔工具が、穿孔要素および搬送要素を備える、請求項１３７に記載の組合せ体。
【請求項１３９】
前記搬送要素が、細長い搬送ワイヤを備える、請求項１３８に記載の組合せ体。
【請求項１４０】
前記穿孔要素が、前記搬送ワイヤの遠位端に取り付けられ、前記遠位端から同軸に延在する、請求項１３９に記載の組合せ体。
【請求項１４１】
前記穿孔要素および前記搬送要素のうちの一方が、外側のねじ山を備え、前記外側のねじ山が、前記穿孔要素を案内要素に対して押し進めるために、前記固定装置の前記内側の一次ねじ山と協動可能であるように適合される、請求項１３８から１４０のいずれか一項に記載の組合せ体。
【請求項１４２】
前記穿孔要素が、遠位の穿孔先端部を備え、前記外側のねじ山が、前記穿孔要素上に、穿孔先端部と前記搬送要素の中間に設けられる、請求項１４１に記載の組合せ体。
【請求項１４３】
前記固定装置を前記管腔または脈管内の前記部位に送達するための送達カテーテルをさらに備える、請求項１３７から１４２のいずれか一項に記載の組合せ体。
【請求項１４４】
遠隔部位に隣接して管腔または脈管内に穿孔工具を固定するための方法であって、前記拡張可能な要素を、送達装置の拡張可能な部材上に取り付けた状態で、請求項１から５２のいずれかに記載の固定装置を前記送達装置に配置するステップと、前記固定装置を配置した前記送達装置を、前記管腔または脈管内の前記遠隔部位に押し進めるステップと、前記送達装置の前記拡張可能な部材を拡張させて、前記遠隔部位に隣接する前記管腔または脈管内で前記固定装置の前記拡張可能な要素を拡張し、前記固定装置を前記管腔内に固定するステップと、前記穿孔工具および前記搬送要素のうちの一方を前記係合手段に係合させて、前記穿孔工具および前記穿孔工具の前記搬送要素のうちの一方を、案内要素の案内穴の中に配置するステップと、前記穿孔工具を、前記固定装置に対して前記案内要素の前記案内穴の外方向に押し進めるステップと、を含む方法。
【請求項１４５】
前記拡張可能な要素を拡張する前に、前記固定装置の前記案内要素の前記案内穴が、前記穿孔工具によって開口部が作られる領域と実質的に位置合せされるように、前記固定装置が、前記遠隔部位に隣接して前記管腔内に配置される、請求項１４４に記載の方法。
【請求項１４６】
前記穿孔工具が、前記開口部が作られる前記領域と係合するように押し進められて、前記領域内に前記開口部を形成する、請求項１４４または１４５に記載の方法。
【請求項１４７】
前記固定装置が、前記管腔または脈管内の閉塞部に隣接する遠隔部位へと押し進められ、前記穿孔工具が、前記閉塞部と係合するように押し進められて、前記閉塞部を貫通する開口部を形成する、請求項１４４から１４６のいずれか一項に記載の方法。
【請求項１４８】
遠隔部位に隣接して管腔または脈管内に穿孔工具を固定するための方法であって、請求項６９から９４のいずれか一項に記載のアダプタをバルーンカテーテルに固定するステップと、前記アダプタが固定された前記バルーンカテーテルを前記管腔または脈管内の前記遠隔部位に押し進めるステップと、前記アダプタを、前記遠隔部位に隣接して前記管腔または脈管内に固定するために、前記バルーンカテーテルの前記バルーンを膨張させるステップと、前記穿孔工具および前記搬送要素のうちの一方を前記係合手段に係合させて、前記穿孔工具および前記穿孔工具の前記搬送要素のうちの一方を案内要素の案内穴の中に配置するステップと、前記穿孔工具を、前記アダプタに対して前記案内要素の前記案内穴の外方向に押し進めるステップと、を含む方法。
【請求項１４９】
前記バルーンを膨張させる前に、前記アダプタの前記案内要素の前記案内穴が、前記穿孔工具によって開口部が作られる領域と実質的に位置合せされるように、前記アダプタが、前記遠隔部位に隣接して前記管腔内に配置される、請求項１４８に記載の方法。
【請求項１５０】
前記穿孔工具が、前記開口部が作られる前記領域と係合するように押し進められて、前記領域に前記開口部を形成する、請求項１４８または１４９に記載の方法。
【請求項１５１】
前記アダプタが、前記管腔または脈管内の閉塞部に隣接する遠隔部位に押し進められ、前記穿孔工具が、前記閉塞部と係合するように押し進められて、前記閉塞部を貫通する開口部を形成する、請求項１４８から１５０のいずれか一項に記載の方法。
【請求項１５２】
穿孔工具を、遠隔部位に隣接して管腔または脈管内に固定する方法であって、請求項１０７から１３６のいずれか一項に記載の固定装置を、送達カテーテルを通して前記管腔または脈管内の前記遠隔部位に押し進めるステップと、前記固定装置の前記拡張可能な要素を前記送達カテーテルの遠位端を通して押し進め、前記遠隔部位に隣接する前記管腔または脈管内で、前記固定装置の前記拡張可能な要素を拡張するステップと、前記穿孔工具および前記搬送要素のうちの一方を前記係合手段に係合させて、前記穿孔工具および前記穿孔工具の前記搬送要素のうちの一方を案内要素の案内穴の中に配置するステップと、前記穿孔工具を、前記固定装置に対して前記案内要素の前記案内穴の外方向に押し進めるステップと、を含む方法。
【請求項１５３】
前記拡張可能な要素は、前記遠隔部位に隣接する前記カテーテルの前記遠位端に配置され、前記送達カテーテルの前記遠位端を通して前記拡張可能な要素を押し進める前に、案内要素は、前記穿孔工具により開口部が作られる領域に対して延在しており、したがって、前記拡張可能な要素を、前記送達カテーテルの前記遠位端を通して前記管腔内へと押し進めると、前記案内穴は、前記開口部が作られる前記領域と位置合せされる、請求項１５２に記載の方法。
【請求項１５４】
前記穿孔工具が、前記開口部が作られる前記領域と係合するように押し進められて、前記領域に前記開口部を形成する、請求項１４２または１４３に記載の方法。
【請求項１５５】
前記固定装置が、前記管腔または脈管内の閉塞部に隣接する遠隔部位へと押し進められ、前記穿孔工具が、前記閉塞部に係合するように押し進められて、前記閉塞部を貫通する開口部を形成する、請求項１５２から１５４のいずれか一項に記載の方法。
【請求項１５６】
近位端から遠位端へと延在する細長いカテーテルと、前記カテーテルに配置された膨張可能なバルーンと、前記バルーンに隣接して前記カテーテルから延在する案内要素であって、穿孔工具を内部を通して案内するように貫通して延在する案内穴であり、前記穿孔工具および前記穿孔工具の搬送要素を通して前記案内穴に収容するために、前記カテーテルの中心管腔、および前記カテーテルに沿って延在する細長い管状部材を貫通して延在する穴のうちの一方と連通している、案内穴を含む、案内要素と、前記穿孔工具を前記案内要素に対して前記案内要素の外方向に押し進めることができるように、前記穿孔工具および前記搬送要素のうちの一方に係合するための係合手段と、を備えるバルーンカテーテル。
【請求項１５７】
前記案内要素が、前記バルーンの近位端に隣接して前記カテーテルから延在する、請求項１５６に記載のバルーンカテーテル。
【請求項１５８】
前記案内要素が、前記バルーンの遠位端に隣接して前記カテーテルから延在する、請求項１５６または１５７に記載のバルーンカテーテル。
【請求項１５９】
前記案内要素が、前記カテーテルからゼロを超える角度で延在する、請求項１５６から１５８のいずれか一項に記載のバルーンカテーテル。
【請求項１６０】
前記案内要素が、前記カテーテルから１°から９０°の範囲の角度で延在する、請求項１５６から１５９のいずれか一項に記載のバルーンカテーテル。
【請求項１６１】
前記バルーンが、前記カテーテルの前記遠位端に隣接して配置される、請求項１５６から１６０のいずれか一項に記載のバルーンカテーテル。
【発明の詳細な説明】
【技術分野】
【０００１】
本発明は、穿孔工具を管腔または脈管内に固定するための固定装置および方法に関し、本発明はまた、穿孔工具を管腔または脈管内に固定するためのバルーンカテーテルに取り付けるアダプタに関する。本発明はまた、穿孔工具を管腔または脈管内に固定するためのアダプタとバルーンカテーテルとの組合せ体に関し、本発明はさらに、固定装置またはアダプタと穿孔工具との組合せ体に関する。さらに本発明は、固定装置と、固定装置を管腔または脈管内の遠隔部位に送達する送達装置との組合せ体に関する。
【背景技術】
【０００２】
血管の閉塞は、血管内における様々な組織成長の結果として生ずる。組織は密度が高く、繊維質になり、その表面が石灰化して硬化するおそれがある。このような血管の障害を除くための最も一般的な最小の侵襲性治療は、血管形成術と呼ばれる治療である。血管形成術治療では、バルーンカテーテルが、通常、大腿動脈または橈骨動脈のうちの一方を通して、動脈系または静脈系に挿入され、動脈系または静脈系を通して閉塞部位に送られる。バルーンカテーテルは、バルーンを担持している先端部で終わっており、収縮した状態のバルーンが閉塞部内に配置されるように、閉塞部を通してその先端部が押し進められる。バルーンの膨張によって閉塞された血管が拡張され、通常、管状のワイヤメッシュ構成のものであるステントがバルーンの外側で運ばれて、バルーンを膨張させることにより拡張する。拡張したステントは、バルーンが収縮した後、拡張した状態で閉塞部位の定位置に留まる。ステントは、血管の閉塞部位を拡張状態に維持するために、血管内で植え込まれた骨組み(scaffold)として働く。
【０００３】
しかし、血管形成術治療を実施するためには、まず、通常、ガイドワイヤであるワイヤで障害物を横断させる必要があり、ワイヤはレールとして働き、その上をバルーンカテーテルが閉塞部へと進む。ガイドワイヤで閉塞部を横断させること、またはバルーンカテーテルの位置決めをしてバルーンを閉塞部内に配置することに失敗した場合、閉塞部の障害を除くためには、従来の外科的な侵襲性技法に戻る必要がある。
【０００４】
通常、血管形成術治療では、閉塞された血管へと前進するガイドワイヤは、比較的堅いワイヤであり、また閉塞部が比較的柔らかい場合は、手動でガイドワイヤをその軸方向に押し進めれば、十分にガイドワイヤを閉塞部に押し進めることができる。しかし、閉塞部が石灰化し、硬化している場合には、閉塞部を通過させようとするには、レーザカテーテルまたは高周波ガイドワイヤを使用する必要がある。このようなレーザカテーテルおよび高周波ガイドワイヤは、比較的費用のかかる外部の電源函(power pack)が必要であり、またその操作を行うための高度に訓練された人員も必要である。
【０００５】
さらに、閉塞部の障害を除くための知られた最小の侵襲性システムは、バルーンカテーテルであっても、なくてもよいカテーテルを通して、ガイドワイヤを押し込むことにより体の外部から制御する必要がある。したがって、閉塞部の中を押し進められるガイドワイヤの先端の制御は任意のものであり、ガイドワイヤの先端を、閉塞部と係合させるように前進させるとき、血管内の実質的に中心位置のままであるという保証はない。実際、ガイドワイヤを、閉塞部と係合させるように前進させているとき、特に比較的堅い閉塞部では、閉塞部の一方の側へと滑って血管の切離を生じ、ガイドワイヤの先端が血管壁を貫通して、血管壁の内層を外層から分離してしまうことは珍しいことではない。これは、血管壁内に誤った管腔を生成するおそれがある。極端な場合には、閉塞部の側部へと滑ったガイドワイヤは、血管壁を貫通し、そこから出る可能性があり、したがって、血管に穴が開き、これにより、内出血を生じさせる。この問題は、閉塞した血管が、心臓血管系内である場合、さらに悪い状態になるが、それは、心臓は拍動すると動くので、ガイドワイヤの先端を閉塞された血管内で中心に維持することは実質的に不可能なためである。
【０００６】
本出願人らによる特許文献１は、内部に閉塞部を有する遠隔部位で、閉塞された管腔または脈管の障害を除くための装置を開示する。しかし、この米国特許明細書に開示された装置は、特殊目的の装置であり、この特定の作業に対してのみ適しており、比較的費用がかかる。
【先行技術文献】
【特許文献】
【０００７】
【特許文献１】米国特許出願公開第２００９／０３０６５９７号明細書
【発明の概要】
【発明が解決しようとする課題】
【０００８】
したがって、閉塞部の障害を除くための穿孔工具と共に使用し、手術室で容易に利用できる、他の機器に取り付けることも可能な費用のかからない装置が利用できると有利なはずである。
【課題を解決するための手段】
【０００９】
本発明は、穿孔工具を管腔または脈管内に固定するための固定装置および方法を提供することを対象とし、また本発明は、穿孔工具を管腔または脈管内に固定するための、バルーンカテーテルに取り付けるアダプタをさらに対象とする。本発明は、穿孔工具を管腔または脈管内に固定するためのアダプタとバルーンカテーテルとの組合せ体をさらに対象とし、また本発明は、固定装置またはアダプタと穿孔工具との組合せ体をさらに対象とする。さらに本発明は、固定装置と、固定装置を管腔または脈管内の遠隔部位に送達する送達装置との組合せ体を対象とする。
【００１０】
本発明によれば、穿孔工具を管腔または脈管内の部位に固定するための固定装置が提供され、固定装置は、管腔または脈管内で固定装置を中に固定するために拡張するように適合された拡張可能な要素であり、固定装置を、管腔または脈管内の部位に送達する送達装置に固定されるように適合された拡張可能な要素と、穿孔工具を案内するために、穿孔工具および穿孔工具の搬送要素のうちの一方を収容するように貫通して延在する案内穴を画定する案内要素と、穿孔工具を固定装置に対して案内要素の外方向に押し進めることができるように穿孔工具および穿孔工具の搬送要素のうちの一方に係合させるための、案内要素および拡張可能な要素のうちの一方に関連付けられた係合手段と、を備える。
【００１１】
本発明の一態様では、拡張可能な要素が主中心軸を規定し、また案内要素の案内穴は、二次中心軸を規定する。
【００１２】
本発明の一実施形態では、案内要素は、案内要素の案内穴により規定される二次中心軸が、拡張可能な要素により規定される主中心軸に対して実質的に平行に延在するように、拡張可能な要素に対して構成される。
【００１３】
本発明の他の実施形態では、案内要素は、案内要素の案内穴により規定される二次中心軸が、拡張可能な要素により規定される主中心軸と実質的に一致するように、拡張可能な要素に対して構成される。
【００１４】
本発明の代替の実施形態では、案内要素は、案内要素の案内穴により規定される二次中心軸が、拡張可能な要素により規定される主中心軸からオフセットされるように、拡張可能な要素に対して構成される。
【００１５】
本発明の他の代替の実施形態では、案内要素は、案内要素の案内穴により規定される二次中心軸が、拡張可能な要素により規定される主中心軸に対してゼロを超える角度で延在するように、拡張可能な要素に対して構成される。
【００１６】
案内要素は、案内要素の案内穴により規定される二次中心軸が、拡張可能な要素により規定される主中心軸に対して１°から９０°の間の角度で延在するように、拡張可能な要素に対して構成されることが好ましい。
【００１７】
本発明の一実施形態では、案内要素は、案内要素の案内穴により規定される二次中心軸が、拡張可能な要素により規定される主中心軸に対して２０°から３５°の間の角度で延在するように、拡張可能な要素に対して構成される。案内要素は、案内要素の案内穴により規定される二次中心軸が、拡張可能な要素により規定される主中心軸に対して約３０°の角度で延在するように、拡張可能な要素に対して構成されることが好ましい。
【００１８】
本発明の他の実施形態では、案内要素は、案内要素の案内穴により規定される二次中心軸が、拡張可能な要素により規定される主中心軸に対して３５°から５５°の間の角度で延在するように、拡張可能な要素に対して構成される。案内要素は、案内要素の案内穴により規定される二次中心軸が、拡張可能な要素により規定される主中心軸に対して約４５°の角度で延在するように、拡張可能な要素に対して構成されることが好ましい。
【００１９】
本発明のさらなる実施形態では、案内要素は、案内要素の案内穴により規定される二次中心軸が、拡張可能な要素により規定される主中心軸に対して５５°から７０°の間の角度で延在するように、拡張可能な要素に対して構成される。案内要素は、案内要素の案内穴により規定される二次中心軸が、拡張可能な要素により規定される主中心軸に対して約６０°の角度で延在するように、拡張可能な要素に対して構成されることが好ましい。
【００２０】
本発明のさらに他の実施形態では、案内要素は、案内要素の案内穴により規定される二次中心軸が、拡張可能な要素により規定される主中心軸に対して７０°から９０°の間の角度で延在するように、拡張可能な要素に対して構成される。案内要素は、案内要素の案内穴により規定される二次中心軸が、拡張可能な要素により規定される主中心軸に対して約９０°の角度で延在するように拡張可能な要素に対して構成されることが好ましい。
【００２１】
本発明の一態様では、案内要素は、拡張可能な要素から延在する。本発明の他の態様では、案内要素は、拡張可能な要素内に位置する。
【００２２】
本発明の一実施形態では、係合手段は、案内穴および拡張可能な要素のうちの一方に位置する内側の一次ねじ山を備える。好ましくは、一次ねじ山は、穿孔工具および穿孔工具の搬送要素のうちの一方の対応する外側のねじ山に係合するように適合される。
【００２３】
本発明の一実施形態では、係合手段は、案内要素の案内穴の中に位置する。
【００２４】
拡張可能な要素は、可逆的に拡張可能であることが好ましい。拡張可能な要素は、それに対して作用する半径方向外側の圧力に応じて拡張可能であると有利である。理想的には、拡張可能な要素は、弾性材料からなる。
【００２５】
本発明の一実施形態では、拡張可能な要素は、送達装置の拡張可能な部材に解放可能に固定されるように適合される。
【００２６】
拡張可能な要素は、送達装置の拡張可能な部材に取り付けられるように適合されることが好ましい。拡張可能な要素は、送達装置の拡張可能な部材に係合するように適合されると有利である。拡張可能な要素は、送達装置の拡張可能な部材と解放可能に係合するように適合されることが好ましい。
【００２７】
本発明の一態様では、拡張可能な要素は、送達装置の拡張可能な部材の外側表面に係合するように適合される。
【００２８】
本発明の他の態様では、固定手段が、拡張可能な要素を、送達装置の拡張可能な部材に固定するように提供される。固定手段は、拡張可能な要素を、送達装置の拡張可能な部材に解放可能に固定するように適合されることが好ましい。固定手段が、拡張可能な要素の内部に形成された摩擦表面を備えると有利である。理想的には、固定手段は、拡張可能な要素の内部表面から内側方向に延在した、少なくとも１つの円周方向に延在する隆起部を備える。
【００２９】
代替的に、固定手段は、二次ねじ山を備える。二次ねじ山は、一次ねじ山とはねじ方向が左右逆であることが好ましい。
【００３０】
本発明の他の態様では、停止手段が、拡張可能な要素と送達装置の間の相対的な回転を阻止するように提供される。停止手段は、拡張可能な要素の内部表面から内側方向に延在した、少なくとも１つの長手方向に延在する隆起部を備えることが好ましい。
【００３１】
拡張可能な要素は、送達装置の拡張可能な部材と共に拡張可能であると有利である。
【００３２】
拡張可能な要素は、送達装置の拡張可能な部材と共に可逆的に拡張可能であることが好ましい。
【００３３】
本発明の他の態様では、拡張可能な要素は、バルーンカテーテル上に位置する膨張可能なバルーンに係合するように適合される。拡張可能な要素は、バルーンカテーテルの遠位端に隣接して配置された膨張可能なバルーンに係合するように適合されることが好ましい。
【００３４】
本発明の他の態様では、拡張可能な要素はシート材料からなる。
【００３５】
本発明の他の態様では、拡張可能な要素は穴が開けられた材料からなる。
【００３６】
本発明のさらなる態様では、拡張可能な要素はプラスチック材料からなる。
【００３７】
代替的には、拡張可能な要素は金属材料からなる。拡張可能な要素は、形状記憶金属からなることが好ましい。拡張可能な要素は、ニチノール金属からなると有利である。
【００３８】
本発明の他の実施形態では、案内要素は半剛性材料からなる。案内要素は、剛性材料からなることが好ましい。
【００３９】
本発明の一態様では、案内要素はプラスチック材料からなる。
【００４０】
本発明の他の態様では、案内要素は金属材料からなる。
【００４１】
本発明のさらなる態様では、案内要素の材料は、拡張可能な要素の材料と同様のものであるが、案内要素においては拡張不能であるように構成された材料からなる。
【００４２】
固定装置は、カテーテルにより管腔または脈管内の部位に送達されるように構成可能であると好ましい。
【００４３】
本発明はまた、本発明による固定装置と、固定装置の案内要素の案内穴を通って延在するように固定装置と協動可能な穿孔工具と、を備える組合せ体を提供する。
【００４４】
穿孔工具は、穿孔要素および搬送要素を備えることが好ましい。
【００４５】
搬送要素が、細長い搬送ワイヤを備えると有利である。
【００４６】
穿孔要素は、搬送ワイヤの遠位端に取り付けられ、そこから延在することが好ましい。
【００４７】
穿孔要素が、搬送要素と同軸に延在すると有利である。
【００４８】
本発明の一態様では、穿孔要素および搬送要素のうちの一方が、外側のねじ山を備え、外側のねじ山は、穿孔要素を案内要素に対して押し進めるために、固定装置の一次内側のねじ山と協動可能であるように適合される。
【００４９】
穿孔要素は、遠位の穿孔先端部を備えることが好ましい。
【００５０】
有利には、外側のねじ山は、穿孔要素上に、その穿孔先端部と搬送要素の中間に設けられる。
【００５１】
本発明の一態様では、組合せ体は、固定装置を管腔または脈管内の部位に送達するための送達装置をさらに備える。
【００５２】
本発明の他の態様では、送達装置は、そこに取り付けられた拡張可能な部材を備え、固定装置の拡張可能な要素は、送達装置の拡張可能な部材と解放可能に係合可能である。
【００５３】
本発明のさらなる態様では、送達装置はバルーンカテーテルを含み、また固定装置の拡張可能な要素は、バルーンカテーテルのバルーンと解放可能に係合可能である。
【００５４】
バルーンカテーテルのバルーンは、バルーンカテーテルの遠位端に隣接して配置されることが好ましい。
【００５５】
さらに、本発明は、本発明による固定装置とバルーンカテーテルとを含む組合せ体を提供し、固定装置の拡張可能な要素は、バルーンカテーテルのバルーンと解放可能に係合可能である。
【００５６】
バルーンカテーテルは、細長いカテーテルと、カテーテルに取り付けられたバルーンと、を備えることが好ましい。
【００５７】
バルーンカテーテルのバルーンは、カテーテル上に、その遠位端に隣接して配置されると有利である。
【００５８】
理想的には、固定装置の拡張可能な要素は、バルーンカテーテルのバルーン上に、バルーンの遠位端に隣接して取り付けられる。
【００５９】
本発明はまた、バルーンカテーテルのカテーテルの遠位端に固定するためのアダプタを提供し、アダプタは、貫通して延在する案内穴を画定する案内要素であり、案内穴が、穿孔工具を案内するために、穿孔工具および穿孔工具の搬送要素のうちの一方を収容するように適合される、案内要素と、アダプタをカテーテルに結合するように適合される結合手段と、穿孔工具をアダプタに対して案内要素の外方向に押し進めることができるように、穿孔工具および穿孔工具の搬送要素のうちの一方に係合するための、案内要素および結合手段のうちの一方における係合手段と、を備える。
【００６０】
本発明の一態様では、係合手段は、穿孔工具および穿孔工具の搬送要素のうちの一方の対応する外側のねじ山と協動する内側の一次ねじ山を備える。係合手段は、案内要素の案内穴の中に位置することが好ましい。
【００６１】
本発明の他の態様では、結合手段は、アダプタを、バルーンに隣接してバルーンカテーテルのカテーテルに結合するように適合される。
【００６２】
結合手段は、アダプタを、バルーンの遠位端に隣接してカテーテルに結合するように適合されることが好ましい。結合手段は、カテーテルの遠位端に結合するように適合されると有利である。理想的には、結合手段は、アダプタを、バルーンの近位端に隣接してカテーテルに結合するように適合される。結合手段は、アダプタを、バルーンカテーテルに対して解放可能に結合するように適合されることが好ましい。
【００６３】
本発明の他の態様では、連通穴が結合手段を貫通して延在し、連通穴は、穿孔工具および搬送要素のうちの一方を通して案内穴に収容するように案内穴と連通しており、穿孔工具および搬送要素のうちの一方を、カテーテルを貫通して延在する穴から案内要素の案内穴へと収容するために、バルーンカテーテルのカテーテルを通して長手方向に延在する細長い穴と連通するように適合される。
【００６４】
結合手段は、アダプタをバルーンカテーテルに解放可能に固定するための二次ねじ山を備えると有利である。二次ねじ山は、結合手段の連通穴の中に位置する内側の二次ねじ山を備えることが好ましい。二次ねじ山は、結合手段が、カテーテルの遠位端にねじ込まれると、カテーテルの遠位端に隣接してカテーテル上に対応するねじ山を形成するように適合されると有利である。理想的には、二次ねじ山は、一次ねじ山側に対してねじ方向が左右逆である。
【００６５】
本発明の他の態様では、結合手段は、使用時に、バルーンカテーテルにより規定される長手方向に延在する中心軸に対して実質的に平行に延在するように適合された主中心軸を規定し、また案内要素の案内穴は、二次中心軸を規定する。案内要素は、案内要素の案内穴により規定される二次中心軸が、結合手段により規定される主中心軸に対して実質的に平行に延在するように、結合手段に対して構成されることが好ましい。案内要素は、案内要素の案内穴により規定される二次中心軸が、結合手段により規定される主中心軸と実質的に一致するように、結合手段に対して構成されると有利である。代替的には、案内要素は、案内要素の案内穴により規定される二次中心軸が、結合手段により規定される主中心軸からオフセットされるように、結合手段に対して構成される。
【００６６】
本発明の他の代替の態様では、案内要素は、案内要素の案内穴により規定される二次中心軸が、結合手段により規定される主中心軸に対してゼロを超える角度で延在するように、結合手段に対して構成される。案内要素は、案内要素の案内穴により規定される二次中心軸が、結合手段により規定される主中心軸に対して１°から９０°の間の角度で延在するように、結合手段に対して構成されることが好ましい。
【００６７】
本発明の一態様では、案内要素は、案内要素の案内穴により規定される二次中心軸が、結合手段により規定される主中心軸に対して２０°から３５°の間の角度で延在するように、結合手段に対して構成される。
【００６８】
本発明の他の態様では、案内要素は、案内要素の案内穴により規定される二次中心軸が、結合手段により規定される主中心軸に対して３５°から５５°の間の角度で延在するように、結合手段に対して構成される。
【００６９】
本発明のさらなる態様では、案内要素は、案内要素の案内穴により規定される二次中心軸が、結合手段により規定される主中心軸に対して５５°から７０°の間の角度で延在するように、結合手段に対して構成される。
【００７０】
本発明のさらに他の態様では、案内要素は、案内要素の案内穴により規定される二次中心軸が、結合手段により規定される主中心軸に対して約９０°の角度で延在するように結合手段に対して構成される。
【００７１】
案内要素は、結合手段から延在することが好ましい。
【００７２】
本発明の他の態様では、アダプタは、剛性材料および半剛性材料のうちの一方からなる。
【００７３】
本発明の他の態様では、アダプタは、プラスチック材料からなる。
【００７４】
本発明の代替の態様では、アダプタは金属材料からなる。
【００７５】
本発明はまた、本発明によるアダプタと、アダプタの案内要素の案内穴を通って延在するようにアダプタと協動可能な穿孔工具と、を備える組合せ体を提供する。
【００７６】
本発明の他の態様では、組合せ体は、アダプタを管腔または脈管内の部位に送達するためのバルーンカテーテルをさらに備える。
【００７７】
アダプタは、結合手段により、バルーンカテーテルのカテーテルに、その遠位端に隣接して結合されることが好ましい。
【００７８】
本発明の一実施形態では、バルーンカテーテルのバルーンは、バルーンカテーテルの遠位端に隣接して位置する。
【００７９】
本発明はまた、本発明によるアダプタと、細長いカテーテルおよびカテーテルに取り付けられたバルーンを備えるバルーンカテーテルと、を備える組合せ体を提供し、アダプタは、結合手段によりカテーテルに、その遠位端に隣接して結合される。
【００８０】
さらに本発明は、管腔または脈管内の部位に穿孔工具を固定するための固定装置を提供し、固定装置は、管腔または脈管内で固定装置を固定するために拡張するように適合された拡張可能な要素であり、送達カテーテルの長手方向に延在する送達穴を通して部位に送達されるように適合され、部位に隣接して管腔または脈管内に固定装置を固定するために、部位に隣接する送達カテーテルの送達穴の外に押し進めると外方向に拡張するように適合された自己拡張性の要素を備える、拡張可能な要素と、穿孔工具を案内するために、穿孔工具および穿孔工具の搬送要素のうちの一方を収容するように貫通して延在する案内穴を画定する案内要素と、穿孔工具を固定装置に対して案内要素の外方向に押し進めることができるように、穿孔工具および穿孔工具の搬送要素のうちの一方に係合するための、案内要素および拡張可能要素のうちの一方に関連付けられた係合手段と、を備える。
【００８１】
本発明の一態様では、貫通する穴を有する搬送管は、穿孔工具および穿孔工具の搬送要素のうちの一方をその中を通して案内要素の案内穴に収容するように、拡張可能な要素から延在する。
【００８２】
拡張可能な要素は、搬送管と案内要素の間に位置することが好ましい。
【００８３】
拡張可能な要素は、穿孔工具および穿孔工具の搬送要素のうちの一方を、搬送管から案内要素の案内穴に収容すると有利である。
【００８４】
本発明はまた、遠隔部位に隣接して管腔または脈管内に穿孔工具を固定するための方法を提供し、方法は、拡張可能な要素を、送達装置の拡張可能な部材上に取り付けた状態で、本発明による固定装置を送達装置に配置するステップと、そこに固定装置を配置した送達装置を、管腔または脈管内の遠隔部位に押し進めるステップと、送達装置の拡張可能な部材を拡張させて、遠隔部位に隣接する管腔または脈管内で固定装置の拡張可能な要素を拡張し、固定装置を管腔内に固定するステップと、穿孔工具および搬送要素のうちの一方を係合手段に係合させて、穿孔工具および穿孔工具の搬送要素のうちの一方を、案内要素の案内穴の中に配置するステップと、穿孔工具を、固定装置に対して案内要素の案内穴の外方向に押し進めるステップと、を含む。
【００８５】
本発明の一実施形態では、拡張可能な要素を拡張する前に、固定装置の案内要素の案内穴が、穿孔工具によって開口部が作られる領域と実質的に位置合せされるように、固定装置は、遠隔部位に隣接して管腔内に配置される。
【００８６】
本発明の他の態様では、穿孔工具は、開口部が作られる領域と係合するように押し進められて、開口部を形成する。
【００８７】
本発明のさらなる態様では、固定装置は、管腔または脈管内の閉塞部に隣接する遠隔部位へと押し進められ、穿孔工具は、閉塞部と係合するように押し進められて、閉塞部を貫通する開口部を形成する。
【００８８】
さらに本発明は、遠隔部位に隣接して管腔または脈管内に穿孔工具を固定するための方法を提供し、方法は、本発明によるアダプタをバルーンカテーテルに固定するステップと、アダプタが固定されたバルーンカテーテルを管腔または脈管内の遠隔部位に押し進めるステップと、アダプタを、遠隔部位に隣接して管腔または脈管内に固定するために、バルーンカテーテルのバルーンを膨張させるステップと、穿孔工具および搬送要素のうちの一方を係合手段に係合させて、穿孔工具および穿孔工具の搬送要素のうちの一方を案内要素の案内穴の中に配置するステップと、穿孔工具を、アダプタに対して案内要素の案内穴の外方向に押し進めるステップと、を含む。
【００８９】
本発明の他の実施形態では、バルーンを膨張させる前に、アダプタの案内要素の案内穴が、穿孔工具によって開口部が作られる領域と実質的に位置合せされるように、アダプタは、遠隔部位に隣接して管腔内に配置される。
【００９０】
本発明の他の実施形態では、アダプタは、管腔または脈管内の閉塞部に隣接する遠隔部位に押し進められ、穿孔工具は、閉塞部と係合するように押し進められて、閉塞部を貫通する開口部を形成する。
【００９１】
さらに本発明は、穿孔工具を、遠隔部位に隣接して管腔または脈管内に固定するための方法を提供し、方法は、本発明による固定装置を、送達カテーテルを通して管腔または脈管内の遠隔部位に押し進めるステップと、固定装置の拡張可能な要素を送達カテーテルの遠位端を通して押し進めて、遠隔部位に隣接する管腔または脈管内で、固定装置の拡張可能な要素を拡張するステップと、穿孔工具および搬送要素のうちの一方を係合手段に係合させて、穿孔工具および穿孔工具の搬送要素のうちの一方を案内要素の案内穴の中に配置するステップと、穿孔工具を、固定装置に対して案内要素の案内穴の外方向に押し進めるステップと、を含む。
【００９２】
本発明の一実施形態では、拡張可能な要素は、遠隔部位に隣接するカテーテルの遠位端に配置され、送達カテーテルの遠位端を通して拡張可能な要素を押し進める前に、案内要素は、穿孔工具により開口部が作られる領域に対して延在しており、したがって、拡張可能な要素を、送達カテーテルの遠位端を通して管腔の中へと押し進めると、案内穴は、開口部が作られる領域と位置合せされる。
【００９３】
本発明は、バルーンカテーテルをさらに提供し、バルーンカテーテルは、近位端から遠位端に延在する細長いカテーテルと、カテーテルに配置された膨張可能なバルーンと、バルーンに隣接してカテーテルから延在する案内要素であり、穿孔工具をその中を通して案内するように貫通して延在する案内穴を備え、案内穴が、穿孔工具および穿孔工具の搬送要素を通して案内穴に収容するために、カテーテルの中心管腔、およびカテーテルに沿って延在する細長い管状部材を貫通して延在する穴のうちの一方と連通している、案内要素と、穿孔工具を、案内要素に対して案内要素の外方向に押し進めることができるように、穿孔工具および搬送要素のうちの一方に係合するための係合手段と、を備える。
【００９４】
本発明の一態様では、案内要素は、バルーンの近位端に隣接してカテーテルから延在する。
【００９５】
本発明の他の態様では、案内要素は、バルーンの遠位端に隣接してカテーテルから延在する。
【００９６】
本発明のさらなる態様では、案内要素は、カテーテルからゼロを超える角度で延在する。
【００９７】
本発明の他の態様では、案内要素は、カテーテルから１°から９０°の範囲の角度で延在する。
【００９８】
本発明のさらなる態様では、バルーンは、カテーテルの遠位端に隣接して配置される。
【発明の効果】
【００９９】
本発明の利点は数多くある。本発明による固定装置の特別な利点は、比較的低コストで提供できることであり、固定装置を管腔または脈管内の遠隔部位に送達するために、手術室で容易に利用できるタイプの従来のバルーンカテーテルまたは他の送達装置に容易に取り付けることができ、遠隔部位に隣接して固定されると、固定された固定装置に対して、穿孔工具を閉塞部と係合させ、貫通するように押し進めることができる。こうすることにより、閉塞部の障害を除く手技を実施するための、または管腔もしくは脈管の壁に開口部を形成するための機器を提供するコストが大幅に低減される。同様の利点が、本発明によるアダプタにより達成される。本発明による固定装置およびアダプタは、案内要素が、拡張可能な要素または結合手段に対して０度を超える角度で角度が付けられたとき、穿孔工具を、例えば、管腔または脈管の中心軸に対してある角度で、管腔または脈管の壁を通る、または閉塞部を通る開口部を形成するように案内できるという点でさらなる利点を提供する。
【０１００】
本発明による方法の利点、および本発明による組合せ体に対する利点は、実質的にここで述べたものと同様のものである。
【０１０１】
本発明は、添付の図面を参照して、例として示されたものに過ぎないが、そのいくつかの好ましい実施形態に関する以下の説明からより明確に理解されよう。
【図面の簡単な説明】
【０１０２】
【図１】本発明による固定装置の部分的な断面斜視図である。
【図２】バルーンカテーテルの遠位端に取り付けられて示された図１の固定装置の一部の横断側面図である。
【図３】図１の固定装置の細部の切断斜視図である。
【図４】使用時にバルーンカテーテルに取り付けられた固定装置を示す管腔の断面側面図である。
【図５】図４と同様の図であるが、固定装置およびバルーンカテーテルの部分が断面で示され、使用時の固定装置およびバルーンカテーテルをさらに示している図である。
【図６】本発明の他の実施形態による固定装置の斜視図である。
【図７】バルーンカテーテルに取り付けられて示された本発明の他の実施形態による固定装置の斜視図である。
【図８】固定装置がバルーンカテーテルに取り付けられる前に示された図７の固定装置およびバルーンカテーテルの一部の斜視図である。
【図９】本発明の他の実施形態による固定装置の斜視図である。
【図１０】図９の固定装置が取り付けられたバルーンカテーテルの斜視図である。
【図１１】使用時における図９の固定装置および図１０のバルーンカテーテルを示す管腔の断面側面図である。
【図１２】カテーテル内に配置された本発明の他の実施形態による固定装置の断面側面図である。
【図１３】別の状態の図１２の固定装置の断面側面図である。
【図１４】本発明によるアダプタの拡張された断面側面図である。
【図１５】バルーンカテーテルに取り付けられて示された図１４のアダプタの側面図である。
【図１６】本発明の他の実施形態によるアダプタの図１４のものと同様の拡張図である。
【図１７】バルーンカテーテルに取り付けられて示された図１６のアダプタの図１５と同様の図である。
【図１８】本発明の他の実施形態による固定装置の側面図である。
【図１９】本発明によるバルーンカテーテルの側面図である。
【発明を実施するための形態】
【０１０３】
図面を、その図１から図５を最初に参照すると、全体的に参照数字１により示された本発明による固定装置が示されており、穿孔工具３により開口すべき管腔４内の閉塞部６に隣接する部位５で、管腔４内に穿孔工具３の固定具が設けられている。本発明のこの実施形態では、以下でより詳細に述べるように、固定装置１は、固定装置１を部位５に送達するために、送達装置、すなわち、バルーンカテーテル８の遠位端７に取り付けられるように適合され、したがって、固定装置１が管腔４内に固定された状態で、穿孔工具３を、固定装置１に対して閉塞部６の中に押し進めて貫通させ、その中を貫通する開口部を形成することができる。
【０１０４】
バルーンカテーテル８は、近位端１１と遠位端７の間で延在する細長いカテーテル１０を備える。膨張可能なバルーン１２は、カテーテル１０上に、その遠位端７に隣接して同心に配置され、カテーテル１０は、バルーン１２を貫通して延在している。バルーン１２は、可逆的に拡張可能な、弾性のある拡張可能なプラスチック材料からなる。カテーテル１０は、任意の適切な材料とすることができる。連通管腔（図示せず）は、近位端１１からバルーン１２へとカテーテル１０を貫通して延在し、バルーン１２を膨張および収縮させるために、例えば、空気または食塩水など、膨張媒体を収容するようにバルーン１２と連通している。主中心管腔１５は、以下で述べるように、その中を通して穿孔工具３を固定装置１に収容するために、近位端１１から遠位端７までカテーテル１０を貫通して延在する。
【０１０５】
固定装置１は、バルーン１２上に、その遠位部分に隣接して取り付けるように適合された拡張可能な要素１８を備える。拡張可能な要素１８は、側壁１９を備える管状構成をしており、側壁１９は、その遠位端２０でドーム形状の端部キャップ２１で終了し、側壁１９と共に中空の内部領域２３を画定する。拡張可能な要素１８は、その近位端２４で、バルーン１２を中空の内部領域２３の中に収容するための開口２５で終了する。拡張可能な要素１８の側壁１９および端部キャップ２１は、同じ材料から一体に形成されるが、その材料は、本発明のこの実施形態では、弾性のあるプラスチック材料であって、この場合は、ラテックス材料であるが、可逆的に拡張可能で、バルーン１２の拡張および収縮に伴って拡張および収縮する。拡張可能な要素１８は、長手方向に延在する主中心軸３０を規定し、バルーン１２を膨張させてバルーン１２に取り付けたとき、主中心軸３０は、バルーンカテーテル８のカテーテル１０により規定される長手方向に延在する中心軸３１と実質的に一致する。
【０１０６】
剛性のある拡張できないプラスチック材料の案内要素３３は、拡張可能な要素１８の端部キャップ２１から概して軸方向外側に向けて延在する。案内要素３３を貫通して延在する案内穴３４は、穿孔工具３を、閉塞部６の中へ通して中心方向に案内する。案内穴３４は、拡張可能な要素１８の主中心軸３０と実質的に一致する二次中心軸３２を規定する。本発明のこの実施形態では、係合手段は、穿孔工具３の対応する外側のねじ山３６に係合するための案内穴３４における内側の一次ねじ山３５を備え、したがって、外側のねじ山３６を一次ねじ山３５に係合させ、固定装置１を管腔４内に固定させた状態で、案内穴３４の中で穿孔工具３を回転させることにより、穿孔工具３は、固定装置１に対して、案内穴３４を通って外方向に押し進められ、閉塞部６と係合して貫通する開口部を形成する。
【０１０７】
穿孔工具３は、閉塞部６を穿刺するための先端４１で終了する遠位端４０を有する穿孔要素３９を備える。外側のねじ山３６は、案内穴３４の内側の一次ねじ山３５と協動させるように、穿孔要素３９の近位部分４３に設けられる。穿孔要素３９は、本発明のこの実施形態では、搬送ワイヤ４５を含む搬送要素上で搬送され、そこから同軸に延在する。搬送ワイヤ４５は、閉塞部６に隣接する部位５へとバルーンカテーテル８を案内するタイプのガイドワイヤと同様の材料であり、同様の構成をしており、また穿孔工具３の近位部分４３から、バルーンカテーテル８のカテーテル１０の中心管腔１５を通り、その近位端１１へと延在する。搬送ワイヤ４５は、カテーテル１０の近位端１１から延在しており、搬送ワイヤ４５の回転を容易にし、次いで、案内要素３３の案内穴３４の中で穿孔要素３９を回転させるが、穿孔要素３９の外側のねじ山３６が、案内穴３４の中で内側の一次ねじ山３５と協動して、穿孔要素３９を、固定装置１に対して案内穴３４を通して外方向に、閉塞部６と係合するように押し進める。
【０１０８】
バルーン１２上に拡張可能な要素１８を解放可能に固定するための固定手段は、拡張可能な要素１８の内側表面４８に位置する複数の間隔を空けて円周方向に延在する環状の隆起部４７を備え、隆起部４７は、内側表面４８から中空の内部領域２３へと内方向に延在して、バルーン１２に係合し、拡張可能な要素１８をバルーン１２上に保持する。上記で論じたように、拡張可能な要素１８は、バルーン１２のように可逆的に拡張可能であり、バルーン１２と共に拡張および収縮し、したがって、拡張可能な要素１８の環状の隆起部４７は、バルーン１２と係合した状態のままであり、バルーン１２および拡張可能な要素１８は、同時に拡張および収縮する。さらに、環状の隆起部４７は、拡張可能な要素１８およびバルーン１２が完全に収縮した状態にあるとき、バルーン１２と係合した状態のままである。
【０１０９】
長手方向に延在する隆起部４９を備える停止手段は、拡張可能な要素１８の内側表面４８から中空の内部領域２３の中へと延在しており、穿孔工具３が案内要素３３の案内穴３４の中で回転しているとき、バルーンカテーテルのバルーン１２と係合して、バルーン１２上の拡張可能な要素１８が回転するのを阻止する。
【０１１０】
固定装置１がバルーンカテーテル８から分離された状態になった場合、それを管腔４から回収するために、回収ワイヤ５０を備える回収手段が、固定装置１の拡張可能な要素１８に、その近位端２４に隣接して接続される。回収ワイヤ５０は、バルーンカテーテル８の長さと同様の、またはそれを超える長さのものであり、バルーンカテーテル８が管腔４を通って押し進められるとき、管腔４内でバルーンカテーテル８の外側に沿って拡張可能な要素１８から延在する。回収ワイヤ５０の近位端５１は、バルーンカテーテル８の近位端１１と共に管腔４の外側に留まり、固定装置１が管腔４内でバルーンカテーテル８から分離した場合に、固定装置１の回収を容易にする。
【０１１１】
使用に際して、固定装置１は、バルーン１２を収縮させた状態で、バルーン１２を拡張可能な要素１８の開口２５を通してその中空の内部領域２３の中へと押し進めることにより、バルーンカテーテル８の遠位端に隣接してバルーン１２上に取り付けられる。固定装置１が取り付けられたバルーンカテーテル８は、次いで、ヒトまたは動物の体の管腔４を通して、閉塞部６に隣接する部位５へと押し進められる。典型的には、固定装置１は、心臓の動脈中の閉塞部を開口するためにヒトまたは動物の体の心臓血管系に穿孔工具３を固定するように適合される。その場合、カテーテルは、通常、被検者の大腿部の大腿動脈を通してヒトまたは動物の体の動脈系に入り、管腔４内の閉塞部６に隣接する部位５に向けて案内される。
【０１１２】
ヒトまたは動物の体の動脈系を通してバルーンカテーテル８を押し進める前に、ガイドワイヤ（図示せず）がまず動脈系を通して部位５へと挿入され、ガイドワイヤがカテーテル１０の中心管腔１５を通して延在した状態で、バルーンカテーテル８を、ガイドワイヤを越えて閉塞部６に隣接する部位５へと案内できるようにする。バルーン１２および固定装置１が閉塞部６に隣接する部位５に配置されると、ガイドワイヤ（図示せず）は、カテーテル１０の中心管腔を通して引き抜かれる。バルーンカテーテル８のバルーン１２を膨張させて、拡張可能な要素１８を拡張し、部位５で管腔４に係合させて、次いで、固定装置１を管腔４に固定する。
【０１１３】
搬送ワイヤ４５の穿孔工具３が、次いで、バルーンカテーテル８のカテーテル１０の中心管腔１５を通して押し進められて案内要素３３の案内穴３４に係合する。穿孔工具３の穿孔要素３９が案内要素３３の外方向に閉塞部６に向けて延在した状態で、搬送ワイヤ４５は、穿孔要素３９の外側のねじ山３６が、案内穴３４の内側の一次ねじ山３５に係合するまで、カテーテル１０の中心管腔１５の中にさらに押し進められる。穿孔要素３９の外側のねじ山３６が、案内穴３４の内側の一次ねじ山３５に係合すると、搬送ワイヤ４５を、外側のねじ山３６を案内穴３４の内側の一次ねじ山３５とねじ係合させるために回転させる。次いで、外側のねじ山３６が内側の一次ねじ山３５と協動した状態で、穿孔要素３９は、閉塞部６と係合しそれを貫通するように押し進められて貫通する開口部を形成するように、搬送ワイヤ４５をさらに回転させる。
【０１１４】
閉塞部６が開口されると、穿孔工具３を案内要素３３から分離し、バルーンカテーテル８のカテーテル１０の中心管腔１５を通して取り外すことができるように、穿孔要素３９の外側のねじ山３６と、案内穴３４の内側の一次ねじ山３５との係合が解除されるまで、搬送ワイヤ４５を逆方向に回転させることにより、穿孔要素３９は、閉塞部６から引き抜かれる。
【０１１５】
次に、当業者にはよく知られているさらなる手技を、部位５で閉塞部６に対して実施することができる。
【０１１６】
図６を次に参照すると、閉塞部に隣接した管腔内の部位に、穿孔工具に対する固定を形成するようにバルーンカテーテルの遠位端に取り付けるための、全体的に参照数字５５で示された本発明の他の実施形態による固定装置が示されている。この場合のバルーンカテーテルおよび穿孔工具は、図１から図５を参照して述べたバルーンカテーテル８および穿孔工具３と同様のものである。固定装置５５は、固定装置１と実質的に同様であり、同様の構成要素が、同じ参照数字により識別される。固定装置５５と固定装置１の間の主な差は、拡張可能な要素１８にある。本発明のこの実施形態では、拡張可能な要素１８は、超弾性ワイヤ、すなわち、ニチノールを密着巻きした（tightly wound）コイル５７により形成された弾性的な、可撓性のある拡張可能な要素５６により形成される。拡張可能な要素５６は、バルーンが膨張すると、バルーンカテーテルのバルーンに係合することができる。拡張可能な要素５６のコイル５７は、可逆的に拡張可能であり、したがって、バルーンカテーテルのバルーンが収縮すると、コイル５７もバルーンと共に収縮する。
【０１１７】
その他の点では、固定装置５５およびその使用法は、固定装置１と同様である。
【０１１８】
図７および図８を次に参照すると、閉塞部に隣接する管腔内の部位に穿孔工具３を固定するようにバルーンカテーテル８のバルーン１２に取り付けるための、全体的に参照数字６０で示された本発明による固定装置がさらに示されている。バルーンカテーテル８および穿孔工具３は、それぞれ、図１から図５を参照して述べたバルーンカテーテル８および穿孔工具３と同様のものであり、同様の構成要素が、同じ参照数字により識別される。
【０１１９】
固定装置６０は、固定装置１と実質的に同様のものであり、同様の構成要素が、同じ参照数字により識別される。固定装置６０と固定装置１の間の主な差は、拡張可能な要素１８にある。本発明のこの実施形態では、拡張可能な要素１８は、穴が開けられた拡張可能な材料の管状部材６１を備える。本発明のこの実施形態では、管状部材６１は、以下の拡張可能な材料、すなわち、ステントが形成される材料、ポリマー材料、またはワイヤが編組みされた材料のうちの任意のものから形成される。管状部材６１は、可逆的に拡張可能であり、したがって、管状部材６１は、バルーン１２の拡張および収縮と共に拡張および収縮する。案内要素３３は、管状部材６１から同軸に延在する。
【０１２０】
その他の点では、固定装置６０およびその使用法は、固定装置１と同様である。
【０１２１】
図９から図１１を次に参照すると、バルーンカテーテル８のバルーン１２に取り付けるための、穿孔工具３が、管腔４の中心軸６７からオフセットされて閉塞部６と係合した状態で、穿孔工具３を管腔４内の部位５で閉塞部６へと押し進めることができるように、穿孔工具３を管腔４内に固定するための、全体的に参照数字６５により示された本発明の他の実施形態による固定装置が示されている。穿孔工具３は、図１から図５を参照して述べた穿孔工具３と同様のものであり、同様の構成要素が、同じ参照数字により識別される。固定装置６５は、固定装置１と実質的に同様のものであり、同様の構成要素が、同じ参照数字により識別される。
【０１２２】
固定装置６５と固定装置１の間の主な差は、拡張可能な要素１８にある。まず、本発明のこの実施形態では、固定装置６５の拡張可能な要素１８は、ワイヤネッティング材料の管状部材６６を備える。ワイヤネッティング材料は、超弾性ワイヤ、すなわち、ニチノールであり、バルーンカテーテル８のバルーン１２と共に可逆的に拡張することができる。
【０１２３】
第２に、案内要素３３は管状部材６６内に位置し、管状部材６６に固定されており、拡張可能な要素１８から同軸に延在する案内要素３３に代えて、案内要素は、管状部材６６により規定される主中心軸３０に平行に延在するが、管状部材６６の主中心軸３０からオフセットされており、案内要素３３の案内穴３４により規定される二次中心軸３２が、主中心軸３０と平行に、離間されて延在している。したがって、本発明のこの実施形態では、穿孔工具３の穿孔要素３９は、案内穴３４により案内されて、管腔４の側壁の一部に比較的近い位置で閉塞部６に係合する。
【０１２４】
本発明のこの実施形態では、バルーンカテーテル８のバルーン１２はまた、バルーンカテーテル８のカテーテル１０に対して中心方向にオフセットされる。カテーテル１０に対するバルーン１２のオフセット量は、バルーン１２が膨張したとき、拡張可能な要素１８の主中心軸３０からの案内要素３３のオフセットと同様である。
【０１２５】
その他の点では、本発明のこの実施形態による固定装置６５は、図１から図５を参照して述べた固定装置と実質的に同様のものである。
【０１２６】
使用に際して、固定装置６５の拡張可能な要素１８が取り付けられ、案内要素３３の案内穴３４がカテーテル１０の中心管腔１５と位置合せされたバルーンカテーテル８のバルーン１２は、収縮した状態で、閉塞部６に隣接する部位５に配置される。バルーンカテーテル８は、案内要素３３の案内穴３４が、次に穿孔工具３が、閉塞部６の一部と位置合せされて、閉塞部６を開口するために穿孔工具３で穴を開けるように操作される。バルーンカテーテル８のバルーン１２は、次いで膨張し、次に、固定装置６５の拡張可能な要素１８を拡張して、管腔４に係合させ、さらに、固定装置６５を管腔４内に固定する。固定装置６５が管腔４内に固定され、穿孔工具３の外側のねじ山３６が案内穴３４の内側の一次ねじ山３５に係合すると、穿孔工具３の穿孔要素３９は、図１から図５の固定装置１を参照してすでに述べたように、閉塞部６の中へと貫通して前進する。
【０１２７】
案内要素３３を、拡張可能な要素１８の主中心軸３０からオフセットすることの利点は、閉塞部６が管腔４内で中心に存在していない場合に、管腔内の閉塞部の開口を容易にすることである。図１１では、閉塞部６が、冠状動脈７１における管腔４の中心軸６７からオフセットされて示されている。固定装置６５が取り付けられたバルーンカテーテル８が、閉塞部６に隣接する部位５に配置されたとき、バルーンカテーテル８を回転させることにより、案内要素３３を、次いで、穿孔工具３を、閉塞部６と中心で係合するように、冠状動脈７１内の閉塞部６と位置合せすることができる。
【０１２８】
閉塞部が冠状動脈内に形成され、その閉塞部が中心軸６７または冠状動脈に対して偏心して位置することはよく知られている。このように偏心して位置する閉塞部が形成された結果として、動脈の真の管腔は、閉塞部内で中心からずれる。穿孔工具３が、動脈の中心軸６７と同心に閉塞部へと押し進められた場合、穿孔工具は、動脈の内側薄層を貫通し、動脈の内側薄層と外側薄層の間を進むことになる。穿孔工具が、動脈の内側薄層と外側薄層の間に留まる場合、バルーンカテーテルの膨張可能なバルーンがステントを送達するために閉塞部の開口部の中に押し進められたとき、バルーンが膨張すると動脈を引き裂くことになり、動脈解離として知られる状態を生ずることになる。拡張可能な要素１８に対して案内要素３３をオフセットすることにより、案内要素３３を、次いで穿孔工具３を、閉塞部６に対して中心に配置することができ、それにより、穿孔工具３が動脈の内側薄層と外側薄層の間を貫通することになる危険が回避される。
【０１２９】
図１２および図１３を次に参照すると、本発明の他の実施形態による、全体的に参照数字７５で示された固定装置が示されている。本発明のこの実施形態では、固定装置７５は、固定装置１に多少類似しており、同様の構成要素が、同じ参照数字により識別される。しかし、固定装置７５と固定装置１の間の主な差は、固定装置７５は、バルーンカテーテルの遠位端上に取り付けるように適合されておらず、そうではなくて、送達カテーテル７７の中心管腔７６を通って閉塞部に隣接する管腔内の部位に送達するように適合されていることである。本発明のこの実施形態では、拡張可能な要素１８は、自己拡張性の、穴の空いた弾性のある材料の管状部材７９を備える。本発明のこの実施形態では、管状部材７９は、形状記憶金属、すなわち、ニチノールからなる。固定装置１の案内要素３３と同様の案内要素３３は、管状部材７９と同軸に、管状部材７９の遠位端２０から延在する。
【０１３０】
細長い搬送管８０が、管状部材７９と同軸に、管状部材７９の近位端８２から延在する。カテーテル８０は、案内要素３３へと穿孔工具を収容するために、穿孔工具および搬送ワイヤを通して収容する細長い穴８１を画定する。穿孔工具および搬送ワイヤは、それぞれ、図１から図５の固定装置１の穿孔工具３および搬送ワイヤ４５と同様のものである。カテーテル８０は、送達カテーテル７７の長さに延在し、カテーテル７７の近位端８３を通って延在して、管状部材７９を、カテーテル７７の中心管腔７６の中に、外へと操作することを容易にする。管状部材７９の形状記憶金属は、閉塞部に隣接する部位で管腔に係合するために、次いで、固定装置７５を閉塞部に隣接して管腔内に固定するために、元々、図１３で示された拡張状態へと外方向に偏倚されており、送達カテーテル７７の中心管腔７６を通して固定装置７５を収容するために、図１２で示された収縮状態に収縮することができる。
【０１３１】
管状部材７９は、送達カテーテル７７の中心管腔７６内にある間は、収縮した状態に保持される。送達カテーテル７７の遠位端８４を通して中心管腔７６の外方向に押し進められると、管状部材７９は、収縮状態から拡張状態へと自己拡張し、管腔に係合して、固定装置７５を管腔内に固定する。送達カテーテル７７の中心管腔７６の中に押し進めれると、管状部材７９は、強制されて収縮状態になり、固定装置７５を、送達カテーテル７７の中心管腔７６を通して引き抜くことができる。
【０１３２】
使用に際して、送達カテーテル７７は、送達カテーテル７７の遠位端８４が、閉塞部に隣接する部位に配置されるまで、管腔を通って押し進められる。これは、通常、遠位端が閉塞部に隣接する部位にすでに配置されているガイドワイヤ（図示せず）上で送達カテーテル７７を押し進めることにより達成される。送達カテーテル７７の遠位端８４が、閉塞部に隣接して配置されると、ガイドワイヤ（図示せず）は、送達カテーテル７７の中心管腔７６を通して引き抜かれる。固定装置７５は、管状部材７９が送達カテーテル７７の遠位端８４に隣接するまで、搬送管８０をカテーテル７７の中心管腔７６の中に押し進めることにより、送達カテーテル７７の中心管腔７６を通して押し進められる。さらに、送達カテーテル７７の中心管腔７６を通して搬送管８０を押し進めることにより、送達カテーテル７７の遠位端８４を通して管状部材７９が押し進められる。管状部材７９が、送達カテーテル７７の中心管腔７６の外に出ると、管状部材７９は、管腔に向けて自己拡張を開始し、管腔に係合して、固定装置７５を閉塞部に隣接する部位で管腔内に固定する。
【０１３３】
搬送ワイヤを備えた穿孔工具は、次いで、穿孔工具の外側のねじ山が、案内要素３３の案内穴３４の内側の一次ねじ山３５に係合するまで、搬送管８０の穴８１を通って押し進められる。その後、搬送ワイヤを回転させることにより、穿孔工具の外側のねじ山を案内穴３４の内側の一次ねじ山３５と協動させて、穿孔工具を閉塞部と係合させ、閉塞部を開口させる。
【０１３４】
閉塞部に隣接する手技が完了すると、管状部材７９は、送達カテーテル７７の中心管腔７６を通して搬送管８０を引き抜くことにより、送達カテーテル７７の中心管腔７６の中に押し進められる。管状部材７９を、カテーテル７７の中心管腔７６の中へと押し進めることにより、管状部材７９は強制されて拡張状態から収縮状態になる。固定装置７５は、次いで、送達カテーテル７７の中心管腔７６を通して引き抜かれる。
【０１３５】
図１４および図１５を次に参照すると、管腔内の、例えば、被検者の心臓の動脈内などの閉塞部に隣接する部位に穿孔工具を固定するように、バルーンカテーテル９３のカテーテル９２の遠位端９１に固定するための、全体的に参照数字９０により示された本発明によるアダプタがさらに示されている。
【０１３６】
本発明のこの実施形態の穿孔工具は、図１から図５を参照して述べた固定装置１の穿孔工具３と同様のものである。バルーンカテーテル９３は、図１から図５の固定装置１を参照して開示したバルーンカテーテル８と実質的に同様のものであり、同様の構成要素が同じ参照数字により識別される。
【０１３７】
アダプタ９０は、図１から図５の固定装置１の案内要素３３と同様の案内要素９４を備え、同様の構成要素が同じ参照数字により識別される。結合手段、すなわち、管状の結合要素９５が、アダプタ９０をバルーンカテーテル９３の遠位端９１に結合するために、案内要素９４から後方に延在する。結合要素９５および案内要素９４は同じ剛性材料から一体に形成され、本発明のこの実施形態では、その材料はステンレス鋼であるが、例えば、ニチノールなどの金属合金など、他の適切な剛性材料を使用することもできる。案内要素９４および結合手段９５はまた、比較的剛性のあるポリマー材料から、または他の適切なプラスチック材料から作ることもできる。連通穴９６は、バルーンカテーテル９３のカテーテル９２の遠位端９１に係合するために、案内要素９４の案内穴３４をバルーンカテーテル９３の中心管腔１５と連通させるために、次いで、穿孔工具および穿孔工具の搬送ワイヤをバルーンカテーテル９３のカテーテル９２の中心管腔１５から案内要素９４の案内穴３４へと収容するために、連通穴９６の近位端９７から結合要素９５の中へと延在する。
【０１３８】
結合要素９５をカテーテル９２の遠位端９１に解放可能に固定するための固定手段は、結合要素９５をカテーテル９２の遠位端９１にねじ込むために、結合要素９５の連通穴９６内に位置する内側の二次ねじ山９８を備える。結合要素９５の内側の二次ねじ山９８は、結合要素９５が、カテーテル９２の遠位端９１にねじ込まれたとき、カテーテル９２の遠位端９１上に対応する外側のねじ山を切削できるようにするものである。さらに結合要素９５の連通穴９６における内側の二次ねじ山９８は、案内要素９４の案内穴３４における内側の一次ねじ山３５のねじ方向とは左右逆であり、したがって、穿孔工具の外側のねじ山が案内要素９４の内側の一次ねじ山３５と係合し、穿孔工具を回転させて閉塞部と係合させるとき、アダプタ９０に対する穿孔工具の回転動作が、結合要素９５を、バルーンカテーテル９３のカテーテル９２の遠位端９１に対して締め付けるように働き、それにより、アダプタ９０がバルーンカテーテル９３の遠位端９１から分離されるどんな危険も回避される。
【０１３９】
回収手段、すなわち、回収ワイヤ５０は、アダプタ９０がバルーンカテーテル９３から分離された状態になった場合にそれを回収するように、結合要素９５の近位端９７から延在している。
【０１４０】
使用に際して、アダプタ９０が結合要素９５によりバルーンカテーテル９３の遠位端９１に固定され、バルーン１２が収縮した状態で、図１から図５の固定装置を参照してすでに述べたように、バルーンカテーテル９３は、カテーテル９２の遠位端９１が閉塞部に隣接する管腔内の部位に配置されるまで、管腔を通して押し進められる。バルーンカテーテル９３のバルーン１２を膨張させて、管腔内にバルーンカテーテル９３を固定し、次いで、アダプタ９０を閉塞部に隣接する管腔内に固定する。アダプタ９０がそのように固定されると、穿孔工具は、穿孔工具の外側のねじ山が、案内要素９４の案内穴３４の内側の一次ねじ山３５と係合するまで、搬送ワイヤにより、バルーンカテーテル９３の中心管腔１５を通して押し進められる。穿孔工具の外側のねじ山を、案内要素９４の内側の一次ねじ山３５と協動させて、穿孔工具の搬送ワイヤを回転させ、穿孔工具を閉塞部と係合させるように押し進めて閉塞部を開口する。
【０１４１】
その他の点では、アダプタ９０の使用法は、図１から図５を参照して述べた固定装置１のものと同様である。
【０１４２】
図１６および図１７を次に参照すると、穿孔工具３と同様の穿孔工具を、管腔内の閉塞部に隣接する部位に固定するように、バルーンカテーテル９３のカテーテル９２の遠位端９１を固定するための、全体的に参照数字１００により示された本発明の他の実施形態によるアダプタが示されている。バルーンカテーテル９３は、図１４および図１５のアダプタ９０を参照して述べられたバルーンカテーテル９３と実質的に同様のものであり、同様の構成要素が、同じ参照数字により識別される。アダプタ１００は、図１４および図１５を参照して述べたアダプタ９０と実質的に同様のものであり、同様の構成要素が、同じ参照数字により識別される。アダプタ１００とアダプタ９０の間の主な差は、案内要素９４が、結合要素９５からゼロを超える角度で延在していることであり、本発明のこの実施形態では、結合要素９５に対して９０°で、言い換えると、結合要素９５の横断方向に延在することである。したがって、案内要素９４の案内穴３４により規定される二次中心軸３２は、結合要素９５の連通穴９６により規定される主中心軸１０１に対して９０°で延在する。
【０１４３】
使用に際して、アダプタ１００をバルーンカテーテル９３の遠位端９１に固定し、カテーテル９２の遠位端９１を閉塞部に隣接させてバルーンカテーテル９３を管腔内に配置して、バルーンカテーテル９３のバルーン１２を膨張させる。穿孔工具３は、搬送ワイヤにより、バルーンカテーテル９３の中心管腔１５を通り、結合要素９５の中へと押し進められる。アダプタ１００の壁１０２に当たると、穿孔工具は、９０°を介して案内要素９４の案内穴３４の中に押し進められる。さらに穿孔工具を案内要素９４の案内穴３４の中へと押し進めることにより、穿孔工具の外側のねじ山が案内穴３４の内側の一次ねじ山３５に係合することになる。その後、搬送ワイヤを回転させることによる穿孔工具の回転により、穿孔工具を、案内要素９４の外方向に押し進めて閉塞部と係合させ、閉塞部を開口する。
【０１４４】
その他の点では、アダプタ１００およびその使用法は、図１４および図１５を参照して述べたアダプタ９０と同様である。
【０１４５】
アダプタ１００の利点は、穿孔工具を、脈管、管腔、または動脈の壁の特定の部位と位置合せしてその壁を通る穴を加工するために、穿孔工具を脈管、管腔、または動脈内の部位に配置できることである。アダプタ１００は、心臓または他の器官の、またはその内部の壁または隔壁を通して穿孔を容易にするのに特に適している。アダプタ１００はまた、高血圧を治療するための手技で、腎臓の管腔または脈管の壁に隣接する腎臓の部位の除神経（denerving）を行うために使用するのに適している。
【０１４６】
図１８を次に参照すると、全体的に参照数字１１０により示された、本発明の他の実施形態による固定装置が示されている。固定装置１１０は、固定装置７５と実質的に同様のものであり、同様の構成要素が、同じ参照数字により識別される。固定装置１１０と固定装置７５の間の主な差は、案内要素３３が、搬送管８０に結合され、拡張可能な要素１８内に位置し、拡張可能な要素１８の主中心軸３０に対して横断する方向に延在することである。言い換えると、案内要素３３の案内穴３４により規定される二次中心軸３２は、拡張可能な要素１８の主中心軸に対して９０°の角度で延在する。したがって、案内要素３３の案内穴３４は、穿孔工具を拡張可能な要素１８の横断方向に導く。
【０１４７】
その他の点では、固定装置１１０およびその使用法は、穿孔工具が、搬送ワイヤにより、搬送管８０の穴８１を通って案内要素３３の中に直接押し進められることを除いて、図１２および図１３を参照して述べた固定装置７５のものと同様である。穿孔工具が、案内要素３３の壁１１１に当たると、穿孔工具は、約９０°の角度を介して案内要素３３の案内穴３４の中に導かれる。穿孔工具は、搬送ワイヤにより、案内要素３３の案内穴３４の中へとさらに押し進められて、穿孔工具の外側のねじ山を、案内要素３３の案内穴３４の内側の一次ねじ山３５に係合させる。その後、穿孔工具を搬送ワイヤにより回転させ、次いで、図１６および図１７を参照して述べられたアダプタ１００を参照してすでに述べたように、穿孔工具を外方向に押し進めて、開口部を形成すべき脈管または管腔の壁と係合させる。
【０１４８】
固定装置１１０の利点は、図１６および図１７を参照して述べられた、アダプタ１００により達成されたものと同様である。
【０１４９】
図１９を次に参照すると、全体的に参照数字１２０により示された、本発明によるバルーンカテーテルがさらに示されている。バルーンカテーテル１２０は、図１から図５の固定装置１を参照して述べたバルーンカテーテル８と実質的に同様のものであり、同様の構成要素が、同じ参照数字により識別される。しかし、本発明のこの実施形態では、案内要素１２１は、バルーンカテーテル１２０のバルーン１２の近位端１２２に隣接してそのカテーテル１０に固定され、そこから延在している。案内要素１２１は、図１から図５を参照して述べた固定装置１の案内要素３３と同様のものであり、同様の構成要素が、同じ参照数字により識別される。案内要素１２１は、約６０°の角度でカテーテル１０から延在し、穿孔工具３と同様の穿孔工具を、脈管、管腔、動脈、または同様のものの側壁の中へと案内するように適合される。
【０１５０】
細長い搬送管１２３は、その中を通して、穿孔工具および搬送ワイヤを案内要素１２１に収容するように、バルーンカテーテル１２０のカテーテル１０に沿って延在する。代替的に、案内要素１２１は、案内要素１２１の案内穴３４を、バルーンカテーテル１２０の中心管腔１５と直接連通させるようにして、バルーンカテーテル１２０のカテーテル１０に固定することもできる。その場合、バルーンカテーテル１２０の中心管腔１５は、案内要素１２１の案内穴３４で終了することになり、穿孔工具を案内要素１２１の案内穴３４の中に導くように適合されることになる。したがって、本発明のこの実施形態では、案内要素１２１の案内穴３４により規定される二次中心軸３２は、ゼロを超える角度で延在するが、その角度は、本発明のこの実施形態では、バルーンカテーテル１２０の主中心管腔１５の主中心軸３０に対して約６０°である。
【０１５１】
使用に際して、バルーンカテーテル１２０を管腔内に配置し、案内要素１２１の案内穴３４を、開口部が貫通して形成される管腔の壁の部位と位置合せさせた状態で、バルーンカテーテル１２０のバルーン１２を膨張させ、バルーンカテーテルを、次いで、案内要素１２１を管腔または脈管内に固定する。穿孔工具は、搬送管１２３を通して案内要素１２１の案内穴３４の中に押し進められる。穿孔工具を、案内要素１２１の案内穴３４の中にさらに押し進めることにより、穿孔工具の外側のねじ山を、案内要素１２１の穴３４の内側の一次ねじ山３５と係合させる。その後、搬送ワイヤを回転させることによる穿孔工具の回転により、穿孔工具を、案内要素１２１の案内穴３４を通し、管腔の壁と係合させるように外方向に押し進めて、貫通する開口部を形成させる。
【０１５２】
固定装置、アダプタ、カテーテル、およびバルーンカテーテルが、特定の材料のものとして述べられてきたが、固定装置、アダプタ、カテーテル、およびバルーンカテーテルは、任意の適切な材料のものとすることができる。
【０１５３】
図１から図１３を参照して述べられた固定装置は、軸方向に延在する案内要素を備える代わりに、拡張可能な要素の主中心軸３０に対して横断方向に延在することになる、横断方向に延在する案内要素を備えることも可能であることが理解されよう。実際に、案内要素は、拡張可能な要素の主中心軸３０に対して０度を超える任意の角度で、拡張可能な要素から延在するようにできることが考えられる。固定装置の案内要素、アダプタ、およびバルーンカテーテル１２０はまた、結合要素により規定される中心軸に対して、またはバルーンカテーテルの主中心管腔１５により規定される主中心軸に対して、任意の角度で延在するようにできることも考えられる。
【０１５４】
図１から図５の固定装置の拡張可能な要素をバルーンカテーテルのバルーンに解放可能に固定するための固定手段が、拡張可能な要素の内側表面に位置する複数の長手方向に離間された環状の隆起部を備えるものとして述べられてきたが、任意の他の適切な固定手段を提供することができ、いくつかの場合では、固定手段は、バルーンカテーテルのバルーンの外側表面に係合することになる、拡張可能な要素の内側表面に形成された内側の二次ねじ山を備えるようにできることも考えられる。通常、拡張可能な要素の内側の二次ねじ山のねじ方向は、案内要素の案内穴の内側の一次ねじ山のねじ方向と反対になるはずであり、したがって、穿孔工具を案内穴から外方向に押し進めるために、案内穴の中で穿孔工具を回転させることは、バルーンカテーテルのバルーンに対して拡張可能な要素を締め付けることになる。
【０１５５】
バルーンカテーテル１２０が、バルーンの近位端に隣接してカテーテルから延在する案内要素を備えるものとして述べられてきたが、それに代えて、案内要素が、バルーンの遠位端に隣接してカテーテルから延在することも考えられる。
【０１５６】
固定装置は、案内穴の中で穿孔工具が回転する間、バルーンカテーテルのバルーン上で拡張可能な要素が回転するのを阻止するための停止手段を備えるものとして述べられてきたが、これは有利であるが本質的なものではなく、いくつかの場合では、停止手段を全く除外することができる。代替的に、任意の他の適切な停止手段を設けることもできる。
【０１５７】
図１から図５の固定装置が、拡張可能な要素をバルーンカテーテルのバルーンに解放可能に固定するための固定手段を備えるものとして述べられており、固定手段が、拡張可能な要素の内部へと延在する環状のリングを備えるものとして述べられているが、任意の他の適切な固定手段を設けることもできる。例えば、環状の隆起部は、必ずしも拡張可能な要素の内側表面の周りで完全に延在する必要のないことが考えられる。いくつかの円周方向に離間された隆起部を設けることができるが、あるいはいくつかの場合には、単一の隆起部だけを設けることもできる。他の適切な解放可能な固定手段を用意することも考えられ、例えば、拡張可能な要素は、バルーンカテーテルのバルーンに係合したとき、比較的高い摩擦係数を有することになる摩擦タイプの表面を備えることができる。実際に、いくつかの場合には、固定手段を除外できることも考えられる。
【符号の説明】
【０１５８】
１  固定装置
３  穿孔工具
４  管腔
５  部位
６  閉塞部
７  遠位端
８  バルーンカテーテル
１０  カテーテル
１１  近位端
１２  バルーン
１５  主中心管腔
１８  拡張可能な要素
１９  側壁
２０  遠位端
２１  端部キャップ
２３  中空の内部領域
２４  近位端
２５  開口
３０  主中心軸
３１  中心軸
３２  二次中心軸
３３  案内要素
３４  案内穴
３５  一次ねじ山
３６  外側のねじ山
３９  穿孔要素
４０  遠位端
４１  先端
４３  近位部分
４５  搬送ワイヤ、ガイドワイヤ
４７  環状の隆起部
４８  内側表面
４９  隆起部
５０  回収ワイヤ
５１  近位端
５５  固定装置
５６  拡張可能な要素
５７  コイル
６０  固定装置
６１  管状部材
６５  固定装置
６６  管状部材
６７  中心軸
７１  冠状動脈
７５  固定装置
７６  中心管腔
７７  送達カテーテル
７９  管状部材
８０  搬送管、カテーテル
８１  細長い穴
８２  近位端
８３  近位端
８４  遠位端
９０  アダプタ
９１  遠位端
９２  カテーテル
９３  バルーンカテーテル
９４  案内要素
９５  結合要素
９６  連通穴
９７  近位端
９８  二次ねじ山
１００  アダプタ
１０１  主中心軸
１０２  壁
１１０  固定装置
１１１  壁
１２０  バルーンカテーテル
１２１  案内要素
１２２  近位端
１２３  搬送管
【図１】
2014516596.tif 000003
【図２】
2014516596.tif 000004
【図３】
2014516596.tif 000005
【図４】
2014516596.tif 000006
【図５】
2014516596.tif 000007
【図６】
2014516596.tif 000008
【図７】
2014516596.tif 000009
【図８】
2014516596.tif 000010
【図９】
2014516596.tif 000011
【図１０】
2014516596.tif 000012
【図１１】
2014516596.tif 000013
【図１２】
2014516596.tif 000014
【図１３】
2014516596.tif 000015
【図１４】
2014516596.tif 000016
【図１５】
2014516596.tif 000017
【図１６】
2014516596.tif 000018
【図１７】
2014516596.tif 000019
【図１８】
2014516596.tif 000020
【図１９】
2014516596.tif 000021
【国際調査報告】
2014516596.tif 000022
2014516596.tif 000023
2014516596.tif 000024
2014516596.tif 000025
2014516596.tif 000026
2014516596.tif 000027
2014516596.tif 000028